(57)【特許請求の範囲】
【請求項１】
ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用して協調型グラントチャンネルを経てユーザ装置へスケジューリンググラント情報を送信するか又はユーザ装置からデータを受信するのに使用され；
及び
協調型マルチセル通信技術により与えられる信号利得に基づいたマルチセル通信セッションのための通信セッション障害検出をユーザ装置により遂行し；
前記遂行することは、
前記複数のセルのうちの１つ以上の各々から受信した共通基準信号の特性をユーザ装置により測定し；
前記協調型マルチセル通信技術を使用して前記協調型グラントチャンネルを経て情報を送信する前記複数のセルに基づく信号利得を含む前記協調型グラントチャンネルの特性を、前記１つ以上のセルからの共通基準信号の前記測定された特性に基づいてユーザ装置により推定し；及び
前記協調型グラントチャンネルの前記推定された特性を、スレッシュホールドに対して比較する；
ことを含む方法。
【請求項２】
前記遂行することは、前記複数のセルの個々のセルからの信号の測定値に基づいて複数のセルとユーザ装置との間のマルチセル通信セッションの性能の推定値を発生することにより通信セッション障害検出をユーザ装置により遂行することを含む、請求項１に記載の方法。
【請求項３】
前記測定することは、前記協調型グラントチャンネルを経てユーザ装置へスケジューリンググラント情報が送信されないときに前記複数のセルの１つ以上から受信した共通基準信号の信号対干渉及び雑音比（ＳＩＮＲ）をユーザ装置により測定することを含み、及び
前記推定することは、前記協調型マルチセル通信技術を使用して前記協調型グラントチャンネルを経て情報を送信する複数のセルに基づく信号利得を含む前記協調型グラントチャンネルのブロックエラー率（ＢＬＥＲ）を、前記共通基準信号の１つ以上の測定されたＳＩＮＲに基づいてユーザ装置により推定することを含む、請求項１に記載の方法。
【請求項４】
前記協調型マルチセル通信技術を使用して情報を送信する複数のセルに基づく信号利得を含む前記協調型グラントチャンネル又は協調型データチャンネルから受信した信号の１つ以上の特性をユーザ装置により測定して、前記協調型グラントチャンネルの推定特性の精度を検証することを更に含む、請求項１に記載の方法。
【請求項５】
前記協調型グラントチャンネル又は協調型データチャンネルから受信した信号の１つ以上の測定された特性を、前記協調型グラントチャンネルの推定特性とユーザ装置により比較して、エラーを決定し；
前記エラーに基づいてユーザ装置により、前記協調型グラントチャンネルの推定特性を修正するための修正技術を決定し；及び
前記修正技術に基づいて前記協調型グラントチャンネルの推定特性を修正する；
ことを更に含む、請求項４に記載の方法。
【請求項６】
前記測定される特性は、次のもの、即ち
信号クオリティ；
信号対干渉及び雑音比（ＳＩＮＲ）；
信号強度又は電力；
エラー率；及び
ブロックエラー率（ＢＬＥＲ）；
のうちの１つ以上を含む、請求項１に記載の方法。
【請求項７】
前記協調型マルチセル通信技術の指示をユーザ装置により受け取ることを更に含む、請求項１に記載の方法。
【請求項８】
前記協調型マルチセル通信技術は、
高速セル選択（ＦＣＳ）通信技術；
非コヒレントな共同送信通信技術；及び
コヒレントな共同送信通信技術；
のうちの少なくとも１つを含む、請求項１に記載の方法。
【請求項９】
前記複数のセルは、前記協調型マルチセル通信技術を使用してユーザ装置特有の協調型マルチセル基準信号を送信するのに使用され、前記遂行することは、
前記複数のセルのうちの１つ以上から受信した前記ユーザ装置特有の協調型マルチセル基準信号の１つ以上の特性をユーザ装置により測定し；
前記協調型マルチセル通信技術を使用して送信された前記複数のセルのうちの１つ以上からの前記ユーザ装置特有の協調型マルチセル基準信号の１つ以上の測定された特性に基づいて通信セッション障害検出をユーザ装置により遂行する；
ことを含む、請求項１に記載の方法。
【請求項１０】
前記協調型グラントチャンネルは、前記協調型マルチセル通信技術を使用してグラント情報がユーザ装置へ送信されるときに通る協調型物理的ダウンリンク制御チャンネル（ＰＤＣＣＨ）を含む、請求項２に記載の方法。
【請求項１１】
少なくとも１つのプロセッサ、及びコンピュータインストラクションを含む少なくとも１つのメモリを備えた装置において、前記コンピュータインストラクションは、少なくとも１つのプロセッサにより実行されたときに、装置が、
ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用して協調型グラントチャンネルを経てユーザ装置へスケジューリンググラント情報を送信するか又はユーザ装置からデータを受信するのに使用され；及び
協調型マルチセル通信技術により与えられる信号利得に基づいたマルチセル通信セッションのための通信セッション障害検出をユーザ装置により遂行し；
前記遂行することは、前記装置が、
前記複数のセルのうちの１つ以上の各々から受信した共通基準信号の特性をユーザ装置により測定し；
前記協調型マルチセル通信技術を使用して前記協調型グラントチャンネルを経て情報を送信する前記複数のセルに基づく信号利得を含む前記協調型グラントチャンネルの特性を、前記１つ以上のセルからの共通基準信号の前記測定された特性に基づいてユーザ装置により推定し；及び
前記協調型グラントチャンネルの前記推定された特性を、スレッシュホールドに対して比較する；
ようにさせることを含むようにさせるものである、装置。
【請求項１２】
前記装置が遂行するようにさせることは、前記装置が、前記複数のセルの個々のセルからの信号の測定値に基づいて複数のセルとユーザ装置との間のマルチセル通信セッションの性能の推定値を発生することにより通信セッション障害検出をユーザ装置により遂行するようにさせることを含む、請求項１１に記載の装置。
【請求項１３】
前記装置が測定するようにさせることは、前記装置が、前記協調型グラントチャンネルを経てユーザ装置へスケジューリンググラント情報が送信されないときに前記複数のセルの１つ以上から受信した共通基準信号の信号対干渉及び雑音比（ＳＩＮＲ）をユーザ装置により測定するようにさせることを含み、及び
前記装置が推定するようにさせることは、前記装置が、前記協調型マルチセル通信技術を使用して前記協調型グラントチャンネルを経て情報を送信する複数のセルに基づく信号利得を含む前記協調型グラントチャンネルのブロックエラー率（ＢＬＥＲ）を、前記共通基準信号の１つ以上の測定されたＳＩＮＲに基づいてユーザ装置により推定するようにさせることを含む、請求項１１に記載の装置。
【請求項１４】
前記装置が、前記協調型マルチセル通信技術を使用して情報を送信する複数のセルに基づく信号利得を含む前記協調型グラントチャンネル又は協調型データチャンネルから受信した信号の１つ以上の特性をユーザ装置により測定して、前記協調型グラントチャンネルの推定特性の精度を検証するようにさせることを更に含む、請求項１１に記載の装置。
【請求項１５】
前記装置が、前記協調型グラントチャンネル又は協調型データチャンネルから受信した信号の１つ以上の測定された特性を、前記協調型グラントチャンネルの推定特性とユーザ装置により比較して、エラーを決定するようにさせ；
前記装置が、前記エラーに基づいてユーザ装置により、前記協調型グラントチャンネルの推定特性を修正するための修正技術を決定するようにさせ；及び
前記装置が、前記修正技術に基づいて前記協調型グラントチャンネルの推定特性を修正するようにさせる；
ことを更に含む、請求項１４に記載の装置。
【請求項１６】
前記測定される特性は、次のもの、即ち
信号クオリティ；
信号対干渉及び雑音比（ＳＩＮＲ）；
信号強度又は電力；
エラー率；及び
ブロックエラー率（ＢＬＥＲ）；
のうちの１つ以上を含む、請求項１１に記載の装置。
【請求項１７】
前記装置が、前記協調型マルチセル通信技術の指示をユーザ装置により受け取るようにさせることを更に含む、請求項１１に記載の装置。
【請求項１８】
前記協調型マルチセル通信技術は、
高速セル選択（ＦＣＳ）通信技術；
非コヒレントな共同送信通信技術；及び
コヒレントな共同送信通信技術；
のうちの少なくとも１つを含む、請求項１１に記載の装置。
【請求項１９】
前記複数のセルは、前記協調型マルチセル通信技術を使用してユーザ装置特有の協調型マルチセル基準信号を送信するのに使用され、前記装置が遂行するようにさせることは、
前記装置が、前記複数のセルのうちの１つ以上から受信した前記ユーザ装置特有の協調型マルチセル基準信号の１つ以上の特性をユーザ装置により測定するようにさせ；及び
前記装置が、前記協調型マルチセル通信技術を使用して送信された前記複数のセルのうちの１つ以上からの前記ユーザ装置特有の協調型マルチセル基準信号の１つ以上の測定された特性に基づいて通信セッション障害検出をユーザ装置により遂行するようにさせる；ことを含む、請求項１１に記載の装置。
【請求項２０】
非一時的コンピュータ読み取り可能なストレージ媒体に記憶されたコンピュータプログラムにおいて、そのコンピュータプログラムは、少なくとも１つのデータ処理装置により実行されたときに、少なくとも１つのデータ処理装置が、
ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用して協調型グラントチャンネルを経てユーザ装置へスケジューリンググラント情報を送信するか又はユーザ装置からデータを受信するのに使用され；及び
協調型マルチセル通信技術により与えられる信号利得に基づいたマルチセル通信セッションのための通信セッション障害検出をユーザ装置により遂行し；
前記遂行することは、
前記複数のセルのうちの１つ以上の各々から受信した共通基準信号の特性をユーザ装置により測定し；
前記協調型マルチセル通信技術を使用して前記協調型グラントチャンネルを経て情報を送信する前記複数のセルに基づく信号利得を含む前記協調型グラントチャンネルの特性を、前記１つ以上のセルからの共通基準信号の前記測定された特性に基づいてユーザ装置により推定し；及び
前記協調型グラントチャンネルの前記推定された特性を、スレッシュホールドに対して比較する；
ことを含む方法を遂行するようにさせる、コンピュータプログラム。
【請求項２１】
ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；
協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；
前記受信したユーザ装置特有の協調型マルチセル基準信号の特性をユーザ装置により測定し；及び
前記受信したユーザ装置特有の協調型マルチセル基準信号の特性に基づいてマルチセル通信セッションのための通信セッション障害検出をユーザ装置により遂行する；
ことを含む方法。
【請求項２２】
前記受信することは、ユーザ装置が複数のセルからスケジューリンググラント又はデータを受信しない時間中に、前記協調型マルチセル通信技術を使用して複数のセルからユーザ装置へ送信されるユーザ装置特有の協調型マルチセル基準信号を複数のセルからユーザ装置により受信することを含む、請求項２１に記載の方法。
【請求項２３】
少なくとも１つのプロセッサ、及びコンピュータインストラクションを含む少なくとも１つのメモリを備えた装置において、前記コンピュータインストラクションは、少なくとも１つのプロセッサにより実行されたときに、装置が、
ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；
協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；
前記受信したユーザ装置特有の協調型マルチセル基準信号の特性をユーザ装置により測定し；及び
前記受信したユーザ装置特有の協調型マルチセル基準信号の特性に基づいてマルチセル通信セッションのための通信セッション障害検出をユーザ装置により遂行する；
ようにさせる、装置。
【請求項２４】
非一時的コンピュータ読み取り可能なストレージ媒体に記憶されたコンピュータプログラムにおいて、そのコンピュータプログラムは、少なくとも１つのデータ処理装置により実行されたときに、少なくとも１つのデータ処理装置が、
ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；
協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；
前記受信したユーザ装置特有の協調型マルチセル基準信号の特性をユーザ装置により測定し；及び
前記受信したユーザ装置特有の協調型マルチセル基準信号の特性に基づいてマルチセル通信セッションのための通信セッション障害検出をユーザ装置により遂行する；
ことを含む方法を遂行するようにさせるよう構成された、コンピュータプログラム。
【発明の詳細な説明】
【技術分野】
【０００１】
本発明は、ワイヤレスネットワークに関する。
【背景技術】
【０００２】
通信システムは、固定又は移動通信装置のような２つ以上のノード又は装置間の通信を可能にするファシリティである。信号は、優先又は無線搬送波で搬送することができる。
【０００３】
セルラー通信システムの一例は、第三世代パートナーシッププロジェクト（３ＧＰＰ）により規格化されているアーキテクチャーである。この分野の最近の開発は、ユニバーサルモバイルテレコミュニケーションズシステム（ＵＭＴＳ）無線アクセス技術の長期進化（ＬＴＥ）としばしば称される。Ｅ−ＵＴＲＡ（進化型ＵＭＴＳ地上無線アクセス）は、移動ネットワークのための３ＧＰＰ長期進化（ＬＴＥ）アップグレード経路のエアインターフェイスである。ＬＴＥにおいて、エンハンストノードＢ（ｅＮＢ）と称されるベースステーションは、カバレージエリア又はセル内のワイヤレスアクセスを与える。ＬＴＥにおいて、移動装置又は移動ステーションは、ユーザ装置（ＵＥ）と称される。ＬＴＥは、多数の改善又は開発を含んでいる。５Ｇワイヤレスネットワークも開発されている。
【０００４】
二重接続（ＤＣ）とは、ユーザ装置（ＵＥ）又は移動ステーションが、マスターｅＮＢ（又はＭｅＮＢ又はマスターベースステーション）及び二次ｅＮＢ（ＳｅＮＢ又は二次ベースステーション）のような周波数の異なる２つのベースステーション／セルに接続される動作モードである。二重接続は、例えば、ハンドオーバー障害の数を減少し及び／又はユーザのスループットを増加する等の多数の効果を有する。同様に、５Ｇワイヤレスネットワークの場合、マルチ接続は、ＵＥ又は移動ステーションを多数のベースステーション又はｅＮＢに接続するのを許す。５Ｇマルチ接続では、ユーザ装置は、同じ周波数又は異なる周波数において多数のセルに接続される。
【発明の概要】
【０００５】
規範的な実施形態による方法は、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；及び協調型マルチセル通信技術により与えられる信号利得を考慮に入れてマルチセル通信セッションのための通信セッション障害検出をユーザ装置により遂行する；ことを含む。
【０００６】
規範的な実施形態による装置は、ユーザ装置のためのマルチセル通信セッションを確立する手段を備え、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；及び協調型マルチセル通信技術により与えられる信号利得を考慮に入れてマルチセル通信セッションのための通信セッション障害検出をユーザ装置により遂行する手段を備えている。
【０００７】
少なくとも１つのプロセッサ、及びコンピュータインストラクションを含む少なくとも１つのメモリを備えた装置において、前記コンピュータインストラクションは、少なくとも１つのプロセッサにより実行されたときに、装置が、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；及び協調型マルチセル通信技術により与えられる信号利得を考慮に入れてマルチセル通信セッションのための通信セッション障害検出をユーザ装置により遂行する；ようにさせるものである装置。
【０００８】
コンピュータプログラム製品は、非一時的コンピュータ読み取り可能なストレージ媒体を含みそして実行可能なコードを記憶し、その実行可能なコードは、少なくとも１つのデータ処理装置により実行されたときに、少なくとも１つのデータ処理装置が、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；及び協調型マルチセル通信技術により与えられる信号利得を考慮に入れてマルチセル通信セッションのための通信セッション障害検出をユーザ装置により遂行する；ことを含む方法を遂行するようにさせる。
【０００９】
別の規範的実施形態による方法は、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；その受信したユーザ装置特有の協調型マルチセル基準信号の特性をユーザ装置により測定し；及びその受信したユーザ装置特有の協調型マルチセル基準信号の特性に基づいてマルチセル通信セッションのための通信セッション障害検出をユーザ装置により遂行する；ことを含む。
【００１０】
規範的な実施形態による装置は、ユーザ装置のためのマルチセル通信セッションを確立する手段を備え、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；協調型マルチセル通信技術を使用して複数のセルによりユーザ装置へ送信されるユーザ装置特有の協調型マルチセル基準信号を複数のセルからユーザ装置により受信する手段を備え、そのユーザ装置特有の協調型マルチセル基準信号は、協調型マルチセル通信技術による信号利得を反映するものであり；その受信したユーザ装置特有の協調型マルチセル基準信号の特性をユーザ装置により測定する手段を備え；及びその受信したユーザ装置特有の協調型マルチセル基準信号の特性に基づいてマルチセル通信セッションのための通信セッション障害検出をユーザ装置により遂行する手段を備えている。
【００１１】
別の規範的実施形態による装置は、少なくとも１つのプロセッサ、及びコンピュータインストラクションを含む少なくとも１つのメモリを備え、前記コンピュータインストラクションは、少なくとも１つのプロセッサにより実行されたときに、装置が、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；その受信したユーザ装置特有の協調型マルチセル基準信号の特性をユーザ装置により測定し；及びその受信したユーザ装置特有の協調型マルチセル基準信号の特性に基づいてマルチセル通信セッションのための通信セッション障害検出をユーザ装置により遂行する；ようにさせる。
【００１２】
別の規範的実施形態によるコンピュータプログラム製品は、非一時的コンピュータ読み取り可能なストレージ媒体を含みそして実行可能なコードを記憶し、その実行可能なコードは、少なくとも１つのデータ処理装置により実行されたときに、少なくとも１つのデータ処理装置が、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；その受信したユーザ装置特有の協調型マルチセル基準信号の特性をユーザ装置により測定し；及びその受信したユーザ装置特有の協調型マルチセル基準信号の特性に基づいてマルチセル通信セッションのための通信セッション障害検出をユーザ装置により遂行する；ことを含む方法を遂行するようにさせるよう構成される。
【００１３】
１つ以上の実施形態の詳細を添付図面に示して以下に説明する。他の特徴は、その説明及び添付図面並びに特許請求の範囲から明らかとなろう。
【図面の簡単な説明】
【００１４】
【図１】規範的実施形態による二重接続ワイヤレスネットワークのブロック図である。
【図２】規範的実施形態による二重接続ワイヤレスネットワークを更に詳細に示すブロック図である。
【図３】規範的実施形態により協調型マルチセル通信技術によって与えられる信号利得を考慮に入れてユーザ装置がマルチセル通信セッション障害検出を遂行するユーザ装置の動作を示す図である。
【図４】規範的実施形態によりユーザ装置／ＵＥに送信する３つのセルを示す図である。
【図５】規範的実施形態による４つのセル及びユーザ装置／ＵＥを示す図である。
【図６】規範的実施形態によるユーザ装置の動作を示すフローチャートである。
【図７】別の規範的実施形態によるユーザ装置の動作を示すフローチャートである。
【図８】規範的実施形態によるネットワークノード（例えば、ＢＳ又はユーザ装置）のブロック図である。
【発明を実施するための形態】
【００１５】
図１は、二重接続ワイヤレスネットワークのブロック図である。図１のワイヤレスネットワーク１３０には複数のネットワークノードが示されている。図１を参照すれば、ユーザ装置（ＵＥ）とも称されるユーザデバイス１３２は、エンハンストノードＢ（ｅＮＢ）とも称される複数のベースステーション（ＢＳ）に接続される（及びそれと通信する）。それ故、規範的実施形態によれば、ネットワークノードは、ユーザデバイス又はＵＥ及び／又はＢＳ又はｅＮＢを含む（又はそれらである）。ベースステーション又は（ｅ）ノードＢ（ｅＮＢ）の機能の少なくとも一部分は、リモート無線ヘッドのようなトランシーバに作動的に結合されるノード、サーバー又はホストにより実施されてもよい。
【００１６】
図１を参照すれば、ユーザデバイス（又はＵＥ）１３２は、マスターＢＳ１３４（又はマスターｅＮＢ又はＭｅＮＢ）に接続され（及びそれと通信し）、このマスターＢＳ１３４は、このマスターＢＳに関連した１つ以上のセル、例えば、一次セル（Ｐｃｅｌｌ）１３６を含むマスターセルグループ（ＭＣＧ）内にワイヤレスカバレージを与える。又、ユーザデバイス１３２は、１つ以上の二次ＢＳ、例えば、二次ＢＳ１３８（二次ＢＳ又はＳｅＮＢとも称される）にも同時に接続され及び／又はそれと通信し、この二次ＢＳ１３８は、この二次ＢＳに関連した１つ以上の二次セル（Ｓｃｅｌｌ）、例えば、Ｓｃｅｌｌ１４０を含む二次セルグループ（ＳＣＧ）内にワイヤレスカバレージを与える。
【００１７】
従って、ユーザ装置とＢＳとの間にワイヤレス接続が確立される。ワイヤレス接続の確立は、例えば、ユーザ装置がＢＳと通信するのに必要な情報をユーザ装置が得ることを含む。ここに例示する規範的実施形態では、ＢＳとのワイヤレス接続を確立する一部分として、ユーザ装置は、ユーザ装置がＢＳと通信できるようにするためにユーザ装置のターミナル／ＵＥアイデンティティ（セル無線ネットワークの一時的識別子又はＵＥのＣ−ＲＮＴＩ）及びアップリンク同期情報をＢＳから得る。又、ワイヤレス接続を確立する一部分として、ワイヤレス接続のためのリソースは、ユーザ装置とＢＳとの間で通信を行えるようにするためユーザ装置及び／又はＢＳにより割り当てられ、及び／又はワイヤレス接続のためのコンテキスト（又はコンテキスト情報）は、ユーザ装置及び／又はＢＳによって記憶される。
【００１８】
ここに例示する１つの（非限定の）規範的実施形態によれば、ユーザ装置は、ランダムアクセスチャンネル（ＲＡＣＨ）を経てＢＳとのランダムアクセス手順、例えば、ＲＡＣＨ手順と称される、を遂行することにより、ＢＳとの接続を確立する。規範的なＲＡＣＨ手順の一部分として、ユーザ装置は、ＢＳがユーザ装置のための送信タイミングを推定できるようにするために、ランダムアクセスプリアンブルをＢＳへ送信する。次いで、ＢＳは、ＢＳ又はセルとの通信に使用するためにユーザ装置のユーザ装置／ＵＥアイデンティティ（例えば、Ｃ−ＲＮＴＩ）を、そしてユーザ装置がＢＳへアップリンク信号を送信できるようにするためにタイミング進みオフセット（同期情報）を送信する。１つの規範的実施形態において、ランダムアクセスを遂行することにより、ユーザ装置は、ＢＳに対するアイドル（例えば、ＲＲＣ＿ｉｄｌｅ）状態から、ＢＳに対する接続（例えば、ＲＲＣ＿ｃｏｎｎｅｃｔｅｄ）状態へ遷移し、ＲＲＣは、無線リソース制御を指す。又、例えば、ユーザ装置がセル又はＢＳに対する同期情報又はタイミング進みオフセット情報を既に有している場合には、ユーザ装置とＢＳとの間に接続を確立するのにＲＡＣＨなしの手順も使用される。ランダムアクセス手順は、ユーザ装置とＢＳとの間に接続を確立するのに使用される技術の単なる一例に過ぎず、接続を確立するのに他の技術又は手順が使用されてもよい。又、ユーザ装置は、複数の（又は多数の）セル又はＢＳに同時に接続されてもよい。接続は、ユーザ装置とＢＳとの間にデータを通信するのに１つ以上のワイヤレスリンクを使用してもよい。
【００１９】
従って、図１を参照すれば、ここに例示する規範的実施形態において、ユーザ装置１３２は、マスターＢＳ（又はＭｅＮＢ）１３４に関連したマスターセルグループ（ＭＣＧ）の１つ以上のセル（例えば、一次セル及びおそらく１つ以上の二次セルを含む）を経て、及び二次ＢＳ１３８（又はＳｅＮＢ）に関連した１つ以上の二次セル又はＳｃｅｌｌ（例えば、少なくとも一次二次セル又はＰｓｃｅｌｌを含む）を経て、ワイヤレスサービスを受ける。従って、図１に示す規範的なネットワークノードは、ＳｅＮＢ１３８、ＭｅＮＢ１３４及びユーザ装置１３２を含む。ＢＳ１３４は、Ｓ１インターフェイス１５１を経てコアネットワーク１５０にも接続される。ＢＳ１３８も、コアネットワーク１５０に接続される。二次ＢＳ１３８は、インターフェイスを経てマスターＢＳ１３４に接続される。これは、ワイヤレスネットワークの一例に過ぎず、他のものを使用してもよい。
【００２０】
規範的実施形態によれば、ユーザデバイス（ユーザターミナル、ユーザ装置（ＵＥ））は、加入者識別モジュール（ＳＩＭ）を伴ったり伴わなかったりして動作するワイヤレス移動通信装置を含むポータブルコンピューティング装置を指し、これは、例えば、次のタイプの装置、即ち移動ステーション（ＭＳ）、移動電話、セルラーホン、スマートホン、パーソナルデジタルアシスタント（ＰＤＡ）、ハンドセット、ワイヤレスモデムを使用する装置（アラーム又は測定装置、等）、ラップトップ及び／又はタッチスクリーンコンピュータ、タブレット、ファブレット、ゲームコンソール、ノートブック、及びマルチメディア装置を含むが、これに限定されない。又、ユーザ装置は、ほぼ排他的なアップリンクのみの装置でもよく、その一例は、画像又はビデオクリップをネットワークにロードするカメラ又はビデオカメラであることも理解されたい。
【００２１】
ＬＴＥでは（一例として）、コアネットワーク１５０は、進化型パケットコア（ＥＰＣ）と称され、これは、ＢＳ間でのユーザ装置の移動／ハンドオーバーを取り扱い又はそれを助ける移動管理エンティティ（ＭＭＥ）、ＢＳとパケットデータネットワーク又はインターネットとの間にデータ及び制御信号を転送する１つ以上のゲートウェイ、及び他の制御機能又はブロックを含む。ＬＴＥは、１つの例示として述べるが、種々の実施形態は、５Ｇワイヤレスネットワークを含む広範囲な様々なネットワークに適用できる。
【００２２】
それ故、１つの規範的実施形態によれば、二重接続ワイヤレスネットワークは、ユーザ装置（例えば、ユーザ装置１３２）を複数のベースステーションに同時に接続できるようにし、例えば、マスターＢＳ（又はＭｅＮＢ）１３４及び二次ＢＳ（ＳｅＮＢ）１３８（又は１つ以上のＳｅＮＢ）の両方に同時に接続できるようにする。二重接続ワイヤレスネットワーク、例えば、図１に示すネットワーク１３０は、例えば、コアネットワークに向かうシグナリング負荷を減少し、トラフィック／パケット処理を多数のベースステーション間で分担し、そして１つ以上のキャリアをＭＳと各ＢＳとの間の無線リンクで使用する柔軟なリソース使用、例えば、サイト間キャリアアグリゲーションから利益を得る、等の多数の効果を有する。
【００２３】
同様に、５Ｇマルチ接続は、ユーザ装置（又はＵＥ）を１つ以上のＢＳ又はｅＮＢ／セルに接続できるようにする。マルチ接続の規範的な実施形態によれば、必ずしもマスターＢＳ及び二次／スレーブＢＳがなく、むしろ、ユーザ装置が接続される複数のＢＳ／セルだけがある。従って、５Ｇマルチ接続では、ユーザ装置は、ＢＳ／セルのセット（又はアクティブなセット）に接続される。図２は、規範的実施形態による二重接続ワイヤレスネットワーク２０８を詳細に示すブロック図である。図示されていないが、各ベースステーション（ＢＳ）及びユーザ装置（又はＵＥ）１３２は、プロセッサ、メモリ、及び１つ以上のワイヤレストランシーバ（ワイヤレス送信器／受信器）を備えている。マスターＢＳ１３４（又はＭｅＮＢ）及び二次ＢＳ１３８（又はＳｅＮＢ）は、両方向性バックホール接続（ワイヤード又はワイヤレス）を経て接続され、これは、図２には、Ｘｎインターフェイス２１１として示されている。ＢＳ１３４、１３８の一方又は両方は、両方向性Ｓ１インターフェイスを経てコアネットワーク２１０に接続される。ユーザ装置１３２は、例えば、無線リンク２１２を経てマスターＢＳ１３４に及び無線リンク２１４を経て二次ＢＳ１３８に同時に接続される。
【００２４】
ユーザ装置１３２、ＢＳ１３４及びＢＳ１３８は、各々、ハードウェア及び／又はソフトウェアで実施される少なくとも１つの無線プロトコルスタックを含む。規範的実施形態によれば、プロトコルスタックは、プロトコルスタックの各エンティティに対する機能又はオペレーションを遂行するためのロジック、及びプロセッサで実行されるコンピュータインストラクションを含む。マスターＢＳ１３４のための規範的プロトコルスタックは、例えば、少なくとも、パケットデータコンバージェンスプロトコル（ＰＤＣＰ）エンティティ２２０Ａ、無線リンクコントロール（ＲＬＣ）エンティティ２２２Ａ、メディアアクセスコントロール（ＭＡＣ）エンティティ２２４、物理的レイヤ（ＰＨＹ）エンティティ２２６、及び無線リソースコントロール（ＲＲＣ）エンティティ２２８を含む。
【００２５】
ＰＤＣＰエンティティ２２０Ａは、暗号化（データの暗号及び解読）及びヘッダ圧縮・解凍を遂行する。ユーザ装置に対して構成された無線ベアラごとに１つのＰＤＣＰエンティティ２２２Ａがある。ＲＬＣエンティティ２２２Ａは、セグメント化／連結化、エラー検出及び修正、データ再送信、複写検出、及び上位レイヤへのインシーケンスデータ配布を遂行する。規範的実施形態によれば、無線ベアラ当たり１つのＲＬＣエンティティがあるか、又はユーザ装置に対して構成された無線ベアラ当たり複数のＲＬＣエンティティがある。１つの規範的実施形態によれば、無線プロトコルスタックは、無線ベアラ当たり２つのＲＬＣエンティティを含む。ＭＡＣエンティティ２２４は、論理的チャンネルのマルチプレクシング（無線ベアラ当たり１つ以上の論理的チャンネルがある場合）、ハイブリッドＡＲＱ再送信、インバンド制御シグナリングに使用されるＭＡＣ制御要素（ＭＡＣ  ＣＥ）の挿入、及び他のＭＡＣ関連機能を遂行する。ＢＳ  ＭＡＣエンティティ２２４は、アップリンク及びダウンリンクスケジューリング（各ＢＳのＭＡＣエンティティに位置された）も遂行する。ＭＡＣエンティティ２２４は、論理的チャンネルの形態でＲＬＣエンティティにサービスを提供する。ＰＨＹエンティティ２２６は、コード化／デコード、変調／復調、マルチアンテナマッピング、及び他の物理的レイヤ機能を取り扱い又は遂行する。ＢＳ内の複数のＲＬＣエンティティは、例えば、１つのＭＡＣエンティティ２２４及び１つのＰＨＹエンティティ２２６を共有する。
【００２６】
ＲＲＣエンティティ２２８は、無線アクセスネットワーク（ＲＡＮ）（例えば、図１ないし２に示す）に関連した多数の機能又は手順を取り扱う役割を果たし、これは、ユーザ装置がセル又はＢＳと通信できるようにするために必要なシステム情報のブロードキャスト、到来する接続要求に関してユーザ装置に通知するためにコアネットワーク２１０から発生するページングメッセージの送信、ベアラ及び移動の設定を含む接続管理、サービングセル及びハンドオーバーの変更のような移動機能、及び他の制御関連機能を含む。ここに例示する規範的な実施形態によれば、ＲＲＣエンティティは、マスターＢＳ及びユーザ装置に設けられるが、例えば、二次ＢＳ（ＳｅＮＢ）には（必ずしも）設けられない（又は動作されない）。
【００２７】
図２に示すように、二次ＢＳ１３８は、マスターＢＳ１３４と同じ又は同様のプロトコルエンティティを含む少なくとも１つのプロトコルスタックを備えている。例えば、二次ＢＳ１３８（ＳｅＮＢ）は、ＲＬＣエンティティ２３２Ａ（例えば、スプリットベアラ２０３に関連したデータを受信する）、ＭＡＣエンティティ２３４、及びＰＨＹエンティティ２３６を含む。又、ＢＳ１３８は、例えば、ＰＤＣＰエンティティ２３３及びＲＬＣエンティティ２３２Ｂ（例えば、ＳＣＧベアラ２０７のデータを受信する）も含む。規範的実施形態によれば、ＭＡＣエンティティ２３４及びＰＨＹエンティティ２３６は、二次ＢＳの複数のＲＬＣエンティティ（ＲＬＣエンティティ２３２Ａ及び２３２Ｂ）により共有される。
【００２８】
ユーザ装置１３２は、マスターＢＳ１３４及び／又は二次ＢＳ１３８におけるピアエンティティと通信するプロトコルエンティティを備えている。ユーザ装置１３２に対して１つのプロトコルスタック（例えば、ＲＲＣ、ＰＤＣＰ、ＲＬＣ、ＭＡＣ及びＰＨＹ）しか示されていないが、ユーザ装置１３２は、マスターＢＳ１３４と通信するための少なくとも１つのプロトコルスタック（又はその一部分）、及び二次ＢＳ１３８と通信するための少なくとも１つのプロトコルスタック（又はその一部分）を備え、規範的実施形態によれば、例えば、マスターＢＳ１３４又は二次ＢＳ１３８における各ピアエンティティに対してユーザ装置１３２には１つのＰＤＣＰエンティティ及び１つのＲＬＣエンティティがあることを理解されたい。それ故、ユーザ装置１３２は、次の規範的プロトコルエンティティ、即ちＰＤＣＰエンティティ２４０、ＲＬＣエンティティ２４２、ＭＡＣエンティティ２４４、ＰＨＹエンティティ２４６及びＲＲＣエンティティ２４８を含む。ユーザ装置１３２におけるこれらのプロトコルエンティティは、例えば、マスターＢＳ１３４又は二次ＢＳ１３８のピアプロトコルエンティティにより遂行される同じ又は同様の機能を遂行し、及び／又は１つ以上のＢＳにおけるピアエンティティと通信する。
【００２９】
規範的実施形態によれば、ＢＳ又はｅＮＢのグループを含む無線アクセスネットワーク（ＲＡＮ）は、１つ以上の無線ベアラを与える。無線ベアラは、一般的に、２つのポイント間にトランスポートサービスを提供する。例えば、パケットは、それらのＱｏＳ（サービスクオリティ）要件及びパケットの行先（ＩＰアドレス又はＭＳ）に基づいてベアラへマップされる。
【００３０】
多数の異なるベアラタイプを使用することができる。第１のベアラタイプは、マスターセルグループ（ＭＣＧ）ベアラであり、ＭＣＧベアラのデータ又はトラフィックは、マスターセルグループ（ＭＣＧ）及びそれに関連したマスターＢＳ１３４によって取り扱われ又は処理される。ＭＣＧは、少なくともＰｃｅｌｌ（一次セル）のようなマスターＢＳにより制御される１つ以上のセルを含む。第２のベアラタイプは、二次セルグループ（ＳＣＧ）ベアラ、例えば、ＳＣＧベアラ２０７であり、データ又はトラフィックは、二次ＢＳ（又はＳｅＮＢ）１３８からＰＤＣＰエンティティ２３３及びＲＬＣエンティティ２３２Ｂを経て移動ステーションへ処理及び転送される。従って、例えば、ＳＣＧベアラ２０７のデータは、二次セルグループ（ＳＣＧ）の１つ以上のセルを経て処理又は転送される。第３のベアラタイプは、スプリットベアラ、例えば、スプリットベアラ２０３であり、スプリットベアラのデータは、転送のためにベースステーションとベースステーションとの間で分裂又は分割される。例えば、スプリットベアラ２０３に対して、マスターＢＳ１３４のＰＤＣＰエンティティ２２０Ｂ（スプリットベアラ２０３のデータを受信する）は、マスターＢＳ１３４のＲＬＣエンティティ２２２Ｂと二次ＢＳ（ＳｅＮＢ）１３８のＲＬＣエンティティ２３２Ａとの間でベアラ２０３に関連したデータ又はトラフィックを分割する。従って、スプリットベアラの例では、ＰＤＣＰエンティティ２２０Ｂは、マスターＢＳ１３４と二次ＢＳ１３８のＲＬＣエンティティ間でトラフィックを分割し、例えば、あるトラフィックを二次ＢＳ１３８へオフロードできるようにする。
【００３１】
二重接続において、マスターセルグループ（ＭＣＧ）の少なくとも１つのセル（例えば、Ｐｃｅｌｌ）は、マスターＢＳ１３４（ＭｅＮＢ）を経てユーザ装置１３２にサービスし、そして二次セルグループ（ＳＣＧ）の少なくとも１つのセル（例えば、Ｓｃｅｌｌ、及び／又はＰｃｅｌｌ）は、二次ＢＳ１３８（ＳｅＮＢ）を経てユーザ装置１３２にサービスする。しかしながら、５Ｇワイヤレスネットワークでは、ユーザ装置は、複数のセル（又は複数のＢＳ／ｅＮＢ）によりサービスされてもよい。５Ｇでは、５Ｇワイヤレスネットワークの規範的実施形態に基づき、ユーザ装置に接続された各セルに対して一次セル（ＰＣｅｌｌ）又は二次セル（ＳＣｅｌｌ）行き先があってもよいし、なくてもよい。
【００３２】
規範的実施形態によれば、ユーザ装置と通信して、例えば、ユーザ装置に信号を送出（又は送信）するか又はユーザ装置から信号を受信するためにセルのセット（又は複数のセル）に対して１つ以上の協調型マルチセル通信技術が使用される。規範的実施形態によれば、協調型マルチセル通信技術は、複数のセルが協調形態で動作してユーザ装置に信号を送信し及び／又はユーザ装置から信号を受信する通信技術を含む。ここに例示する規範的実施形態では、送信の協調形態は、セルが一緒に（又は同時に）ユーザ装置へ送信すること、或いはセルのサブセット（例えば、１つ）がユーザ装置への送信のために選択されること、又はセルのセットの中で協調を行う他の技術を含む。従って、協調は、例えば、セルが同時に及び／又は同じ時間／周波数リソースを経てユーザ装置へ送信するか、又はセルのセットの１つのセル（例えば、最良又は最強のセル）がユーザ装置へ送信する一方、他のセルが送信を行わず、次いで、最良／最強のセルが変化した場合にセルのセットの異なるセルがユーザ装置へ送信することを含む。ここに例示する別の実施例では、セル間の協調は、セルの１つ以上がセルごとにビームフォーミング重みをコヒレントに使用して送信を行い、ユーザ装置へ信号を送信することも含む。
【００３３】
規範的実施形態において、協調型マルチセル通信技術は、協調型マルチセル通信技術を使用しないセル送信に比して、ユーザ装置に信号利得（例えば、増加又は改善された受信信号クオリティ及び／又は改善された受信信号強度／電力）を与えるように使用される。又、協調型マルチセル通信技術は、例えば、協調型マルチポイント（ＣｏＭＰ）送信／受信又はその変形を含み、これは、例えば、送信がある送信ポイント又はセルから実行されるが、スケジューリング及びリンク適応はセル又は送信ポイント間で協調される構成又は技術、ユーザ装置への送信が異なるセル又は送信ポイントから実行される構成又は技術、及び異なる構成又は通信技術間を切り換える構成又は技術を含む。これらの規範的な協調型マルチセル通信技術は、一例として述べるもので、他のものが使用されてもよい。
【００３４】
ある規範的な協調型マルチセル通信技術は、（ここに例示する規範的実施形態として）高速セル選択（ＦＣＳ）技術、非コヒレントな共同送信技術、及びコヒレントな共同送信技術を含む。これら技術の１つ以上は、ユーザ装置と通信するためにセル（又は１つ以上のセル）が同じ周波数レイヤにおいて送信を行うこと（送信を行うよう構成されること）を含む。同じ周波数レイヤは、例えば、同じ周波数（例えば、同じ搬送波周波数）を含むか、又はユーザ装置に接続されたセルのアクティブセットにより使用される周波数リソースの同じ／共通セット（例えば、副搬送波又は物理的リソースブロック／ＰＲＢのグループ）を含む。
【００３５】
高速セル選択（ＦＣＳ）技術では、ユーザ装置に接続されたセルのセットからの最良のセル（例えば、ユーザ装置により受信／測定されてセル及びコアネットワークに報告される最良信号クオリティ又は最高受信信号強度をもつセル）が、ユーザ装置との通信（例えば、ユーザ装置へ信号を送信するか又はそこから信号を受信する）のために選択される。ＦＣＳでは、ネットワーク又はユーザ装置は、セルのセットからの通信に使用されるべきセルを選択し、この最良のセルは、時間と共に変化し、そしてユーザ装置とセルのセットとの間に通信が生じるたびに変化することもある。従って、この規範的実施形態では、ユーザ装置との通信のために選択されて使用されるセルのセットからの最良のセルに基づきユーザ装置により信号利得（例えば、ユーザ装置により測定／受信される改善された信号電力／強度及び／又は信号クオリティ）が得られる。
【００３６】
コヒレントな共同送信において、複数のセル／送信ポイントは、同じ信号をユーザ装置へ同時に送信し、そして各セル／送信ポイントは、送信信号に送信重み又はビームフォーミング重みを適用して、ユーザ装置により受信される信号を改善する。コヒレントな共同送信技術のここに例示する規範的実施形態によれば、コアネットワーク及び／又はＢＳ／ｅＮＢ、又は他のノードは、セルとユーザ装置との間の各チャンネルに対する受信チャンネル情報に基づきセルのセットの各セルに対して送信重み又はビームフォーミング重みを決定又は計算する。従って、信号利得は、複数のセル／送信ポイントからの及び各セル／送信ポイントによる送信（又はビームフォーミング）重みの使用からの両信号の同時送信に基づいてユーザ装置により得られる。
【００３７】
非コヒレントな共同送信技術において、複数のセル／送信ポイントは、各セル又は送信ポイントに特定の送信（又はビームフォーミング）重みを適用することなくユーザ装置に同じ信号を同時に送信する。それ故、非コヒレントな共同送信の規範的実施形態によれば、信号利得（例えば、改善された受信信号強度及び／又は信号クオリティ）は、複数のセルからの信号の共同又は同時送信に基づいてユーザ装置により得られる。
【００３８】
ここに例示する１つの規範的な実施形態では、複数のリモート無線ヘッド（ＲＲＨ）の各々によりセルが設けられ、各リモート無線ヘッドは、共通のベースステーションホテルから受信された信号を送信及び受信する。例えば、リモート無線ヘッドのグループは、光ファイバリンクを経てベースステーションホテルに接続される。それ故、共通のベースステーションホテルに接続されたＲＲＨのグループの場合、それらのＲＲＨは、同じデータ又は制御信号をユーザ装置へ共同又は同時送信するセルのアクティブなセットの一部分であり、又はＢＳホテルは、例えば、最良／最強のセル／ＲＲＨによるユーザ装置へのデータ／信号の送信を協調する。
【００３９】
規範的実施形態によれば、データは、データチャンネルを経てユーザ装置へ送信され、そしてスケジューリンググラントは、グラントチャンネルを経てユーザ装置へ送信される。データチャンネルの一例は、物理的ダウンリンク共有データチャンネル（ＰＤＳＣＨ）を含み、一方、グラントチャンネルの一例は、物理的ダウンリンク制御チャンネル（ＰＤＣＣＨ）を含む。スケジューリンググラントは、グラントチャンネルを経てユーザ装置へ送信され、そしてスケジューリンググラントは、スケジューリンググラントを記述する情報、例えば、ユーザ装置へのグラント（アップリンクグラント又はダウンリンクグラントのいずれか）に対して割り当てられたサブキャリア及び／又は時間／周波数リソースを含む。
【００４０】
又、規範的実施形態によれば、データ及び／又は制御信号（例えば、スケジューリンググラント）は、協調型マルチセル通信技術、例えば、ＦＣＳ又は共同送信を使用して送信される。それ故、規範的実施形態によれば、スケジューリンググラント（グラントチャンネルを経て送信される）及び／又はユーザ装置へ送信される（又はユーザ装置により受信される）データ（データチャンネルを経て送信される）は、協調型マルチセル信号利得を有する。即ち、例えば、ユーザ装置によりグラントチャンネルを経て受信したスケジューリンググラント、及びユーザ装置によりデータチャンネルを経て受信したデータは、そのような制御信号及び／又はデータを送信するのに使用される協調型マルチセル通信技術のために信号利得（例えば、増加／改善された信号強度及び／又は信号クオリティ）を含む。
【００４１】
接続（又はリンク）障害検出は、既存の接続をいつ終了すべきか及び／又は新規接続をいつ確立すべきか決定するためにしばしば使用される。協調型マルチセル通信技術の使用で、ユーザ装置に対してセルのアクティブセットが識別され、ユーザ装置は、セルのアクティブセット内の各セルに接続される。次いで、セルのアクティブセットを使用して、協調型マルチセル通信技術を遂行し、ユーザ装置と通信する。例えば、ユーザ装置へ送信し及び／又はユーザ装置から受信するためにセルのアクティブセットのうちの最良のセル（例えば、ユーザ装置において最大の受信信号強度を有する）が選択されてもよいし、又はセルのアクティブセットの全てのセルが同じデータ又は信号をユーザ装置へ共同で（同時に）送信してもよい。このように、ユーザ装置との間にマルチセル通信セッションが確立され、ここで、マルチセル通信セッションは、同じ周波数レイヤ内のユーザ装置と複数のセルの各々との間のワイヤレス接続を含めて複数のワイヤレス接続を含む。ユーザ装置とセルのアクティブセットとの間のマルチセル通信セッションは、協調型マルチセル通信技術を使用してデータを送信及び／又は受信する。
【００４２】
規範的実施形態によれば、マルチセル通信（例えば、少なくとも、ある場合に、協調型マルチセル通信技術を使用する）について、ユーザ装置から各セル（又はアクティブセットの１つ以上のセル）への測定レポートは、ユーザ装置に対するセルのアクティブセットを更新するためにコアネットワーク又は他のノードにより使用される。ユーザ装置は、各セルから受信した信号の１つ以上の特性（例えば、ＳＩＮＲ又はエラー率のような信号クオリティ、受信信号強度、又は他の信号特性／信号性能指示子）を頻繁に又は周期的に測定し、次いで、測定レポートをアクティブセットのセル（１つ又は複数）へ送信する。各セルの測定レポートは、ユーザ装置により送信され、そしてユーザ装置によりセルから受信した信号の測定特性、例えば、受信信号の測定信号クオリティ（例えば、ＳＩＮＲ又はエラー率）及び／又は測定信号強度を報告する。これらの測定レポート（又はレポート内に示される測定特性）は、セルによりコアネットワーク又は他のノードへ転送され、そこで、セルのアクティブセットが更新され、例えば、コアネットワークは、測定レポートに基づいてユーザ装置に対してアクティブセットにセル（或いは接続又はリンク）を追加するかそこからドロップするかの判断を行い、次いで、セルのアクティブセットに接続又はリンクを追加するかそこからドロップするかユーザ装置に通知する。
【００４３】
規範的実施形態によれば、セルに対する信号クオリティ又は信号強度が第１スレッシュホールドより低いことを測定レポートが指示する場合には、ネットワークは、典型的に、そのユーザ装置に対してセルのアクティブセットからそのセル（或いは接続又はリンク）を除去又はドロップする。同様に、セルに対する信号クオリティ又は信号強度が第２スレッシュホールドより大きい（例えば、信号強度がアクティブセットの最強のセルの６ｄＢ未満より大きい）ことを測定レポートが指示する場合には、ネットワークは、典型的に、ユーザ装置に対してセルのアクティブセットにそのセルを追加する。
【００４４】
上述したように、規範的実施形態によれば、マルチセル通信セッションは、セルのアクティブセットのうちの複数のセル各々へのワイヤレス接続を含む。通信セッション障害検出をどのように遂行すべきか、例えば、マルチセル通信セッションの障害をユーザ装置がどんな仕方で決定すべきかについて問題がある。マルチセル通信セッションのこの障害とは、信号及び／又はデータを（例えば、確実に）送信も受信もできず、新規接続を通信セッションに追加できないか又は追加してはならず、及び通信セッションを終了すべきである通信セッションの状態を指す。通信セッション障害検出を遂行するためにユーザ装置によりどのチャンネル及び／又はどの信号を測定すべきかについて問題が生じる。上述したように、質低下する接続又はセルは、典型的に、ユーザ装置に対するセルのアクティブセットからドロップされる（例えば、接続又はセルは、通信セッションからドロップされる）。１つの規範的実施形態によれば、ユーザ装置は、データチャンネルを経て（例えば、物理的ダウンリンク共有データチャンネル／ＰＤＳＣＨを経て）受信したデータの特性（例えば、信号強度又は信号クオリティ）を測定する。協調型マルチセル通信技術を使用してセルのアクティブセットからユーザ装置へデータが送信される場合には、ユーザ装置により受信されるデータの測定特性（例えば、信号強度及び／又は信号クオリティ）は、典型的に、協調型マルチセル信号利得、例えば、協調型マルチセル通信技術を使用してデータを送信することによる受信データ／信号の信号強度及び／又は信号クオリティの増加を含む。それ故、マルチセル通信セッション障害検出は、協調型マルチセル通信技術を使用して送信された受信データに基づいて遂行される。というのは、その受信データが、協調型マルチセル信号利得（例えば、最良のセルがＦＣＳ技術を経てデータを送信するか又はアクティブセットの全ての／多数のセルが共同でデータを送信ことによる）を含むからである。例えば、ユーザ装置は、受信データの特性を測定し、そして受信データ／信号の測定特性がスレッシュホールドより低い場合には、ユーザ装置は、マルチセル通信セッションの既存の接続を終了し、そして新たなマルチセル通信セッションに対して１つ以上の新規のワイヤレス接続を設定する。或いは、ユーザ装置は、受信データ（協調型マルチセル利得を含む）の測定特性に基づきセルのアクティブセットから制御信号及び／又はデータを受信できるかどうか決定してもよい。
【００４５】
しかしながら、データがユーザ装置に送信される期間は非常に限定され、例えば、ユーザ装置が協調型マルチセル通信技術を経てダウンリンク送信に対してスケジュールされたときだけである。他の期間中、ユーザ装置がスケジュールされていないとき、ユーザ装置により受信／測定されるデータは、別のユーザ装置へ送信され、それ故、他のユーザ装置に対して構成された協調型マルチセル通信技術を使用して送信され、例えば、ここでは、他のユーザ装置は、一般的に、接続障害検出を遂行している現在ユーザ装置に比して、異なる最良のセル及び／又は異なるアクティブセットのセル、セルごとに異なるビームフォーミング重み、等を有する。それ故、（ユーザ装置がスケジュールされていないときの）非スケジュール期間中に受信するデータの測定特性は、典型的に、協調型マルチセル通信技術に基づきユーザ装置へのデータ又は信号送信中にユーザ装置が典型的に受け取る信号利得を完全に反映するものではない。このミスマッチ（ユーザ装置のスケジュールされた期間中の受信データの信号特性に対する非スケジュール期間中の受信データの信号特性の食い違い又はミスマッチ）の結果として、少なくともあるケースで、ユーザ装置は、それが非スケジュール期間中に受信したデータを使用して接続障害検出を遂行するための信号特性を測定する場合にセルのアクティブセットに対する接続／リンク障害を誤って検出するおそれがある。即ち、規範的実施形態によれば、ユーザ装置は、非スケジュールデータの測定に基づいて接続障害を誤って検出することがある。というのは、スケジュールされたデータの信号利得が、少なくともあるケース又は典型的なケースでは、非スケジュールデータの信号利得より良好／大きいからである。
【００４６】
又、別のユーザ装置へ送信されるスケジューリンググラントを測定するときにも同じミスマッチが生じ得る。それ故、別の規範的実施形態によれば、グラントチャンネル（例えば、ＰＤＣＣＨ）を経てユーザ装置へ送信されるスケジューリンググラント（又はグラント情報）は、協調型マルチセル通信技術を使用して送信される。そのようなケースでは、グラントチャンネルは、協調型グラントチャンネルと称される。それ故、そのようなケースでは、ユーザ装置は、グラントチャンネルを経てユーザ装置へ送信されるグラント情報が協調型マルチセル通信技術を使用してユーザ装置へ送信される場合にグラントチャンネル／グラント情報の測定特性に基づいてマルチセル通信セッション障害検出を同様に遂行する。というのは、そのようなグラント情報は、例えば、協調型データチャンネル及び／又は協調型グラントチャンネルにおいてユーザ装置が経験する協調型マルチセル信号利得をおおよそ反映するからである。しかしながら、マルチセル通信セッション障害検出を遂行するために、この構成は、協調型グラントチャンネルの信号特性の測定を使用して接続障害を正確に検出する期間を、グラント情報がユーザ装置へスケジュール／送信される期間に限定する。さもなければ、非スケジュール期間中に、ユーザ装置は、例えば、他のユーザ装置へ送信されたグラントチャンネルを経て送信される信号を受信し及び測定し、これは、信号利得にミスマッチを生じさせて、通信セッション障害の偽の検出を招くことがある。
【００４７】
ある規範的実施形態において、グラント情報又は他の制御信号は、協調型マルチセル通信技術を使用せずにユーザ装置へブロードキャストされ又は送信される。そのようなケースでは、受信した制御信号又はグラント情報は、典型的に、協調型マルチセル信号利得を含み又は反映する。
【００４８】
それ故、規範的実施形態によれば、協調型マルチセル通信技術により与えられる信号利得を考慮に入れて（マルチセル）通信障害検出をユーザ装置により遂行するための種々の技術が説明される。規範的実施形態において、通信セッション障害検出は、複数のセルのうちの１つ以上の個々のセルからの信号の測定に基づいて（セルのアクティブセットの）複数のセルとユーザ装置との間の協調型マルチセル通信セッションの性能の推定値を発生することにより遂行される。このように、アクティブセットの個々のセルからの１つ以上の信号の測定に基づきセルのアクティブセットとユーザ装置との間の協調型マルチセル通信セッションの信号性能の推定値を決定することにより、これは、ユーザ装置が協調型マルチセルデータ又はグラント信号を受信しないとき／受信するようにスケジュールされていないときでも、ユーザ装置が通信セッション障害検出をより正確に遂行できるようにする（例えば、これは、協調型マルチセル信号利得を考慮に入れる）。
【００４９】
図３は、規範的実施形態により協調型マルチセル通信技術によって与えられる信号利得を考慮に入れてユーザ装置がマルチセル通信セッション障害検出を遂行する場合のユーザ装置の動作を示す図である。図３において、ユーザ装置（又はＵＥ）１３２と複数のセルとの間にマルチセル通信セッションが確立される。通信セッションは、ユーザ装置１３２と複数のセル（例えば、ＢＳ１３８Ａ、１３８Ｂにより形成されるセルを含む）の各々との間のワイヤレス接続（又は無線リンク）を含めて、複数のワイヤレス接続（又は無線リンク）を含む。それ故、通信セッションの一部分として、ユーザ装置１３２は、複数のセルに接続される。ここに示す規範的実施形態では、第１のＢＳ１３８Ａ及び第２のＢＳ１３８Ｂは、各々、第１セル及び第２セルのためのワイヤレスサービスを提供する。例えば、３１０において、ユーザ装置１３２は、ＢＳ１３８Ａ／第１セルとの第１接続を確立する。３１２において、ユーザ装置１３２は、ＢＳ１３８Ｂ／第２セルとの接続を確立する。従って、ここに示す例では、ユーザ装置１３２のためのセルのアクティブセットは、２つのセル／２つのＢＳしか含まない。しかしながら、ユーザ装置のためのセルのアクティブセットは、例えば、いかなる数のセル／ＢＳを含んでもよい。
【００５０】
３１４及び３１６において、ユーザ装置１３２は、ユーザ装置が接続されたセル／ＢＳの各々から信号（例えば、共通基準信号又はセル特有の基準信号）を受信する。例えば、３１４において、ユーザ装置１３２は、ＢＳ１３８Ａ／第１セルから共通基準信号を受信する。３１６において、ユーザ装置１３２は、ＢＳ１３８Ｂ／第２セルから共通基準信号を受信する。
【００５１】
３１８において、ユーザ装置１３２は、ユーザ装置に対するセルのアクティブセットのうちの１つ以上の個々のセル各々から受信される信号（例えば、共通基準信号）の特性を測定する。ユーザ装置１３２により３１８において測定される規範的な信号特性は、例えば、信号クオリティ（例えば、信号対干渉及び雑音比（ＳＩＮＲ）、エラー率、ブロックエラー、等）、信号強度、或いは他の信号クオリティ特性／信号性能指示を含む。これらは、ある規範的特性の例示に過ぎず、他の信号特性が測定されてもよい。
【００５２】
３２０において、ユーザ装置は、１つ以上の個々のセルからの測定信号に基づいて（例えば、ユーザ装置に対するセルのアクティブセットのメンバーである１つ以上の個々のセルからの測定信号に基づいて）、ユーザ装置１３２と複数のセル（又はセルのアクティブセット）との間の協調型マルチセル通信セッションの性能又は信号特性（例えば、推定される受信信号強度又は推定される信号クオリティ）を推定する。
【００５３】
オペレーション３２０の例示がオペレーション３２２として示されている。ここに例示する規範的な実施形態によれば、３２２において、ユーザ装置１３２は、１つ以上の個々のセルからの共通基準信号の測定特性に基づいて、協調型マルチセル通信技術を使用して情報（例えば、データ及び／又はグラント情報又は他の信号）の送信に基づく信号利得を含む協調型チャンネル（例えば、協調型グラントチャンネル又は協調型データチャンネル）の特性を推定する。協調型マルチセル通信技術を使用する情報の送信は、例えば、セルのアクティブセットのうちの最良のセルによる／セルからのユーザ装置１３２への送信（例えば、ＦＣＳ技術）、或いはセルのアクティブセットのうちの複数のセルによる／セルからのユーザ装置への共同送信（コヒレントな又は非コヒレントな）を含む。例えば、協調型マルチセルデータ信号が送信されるところのデータチャンネルは、協調型データチャンネルと称される。同様に、協調型マルチセル信号送信が行われるところの制御チャンネルは、協調型制御チャンネルと称される。例えば、協調型マルチセルスケジューリンググラントが送信されるところのグラントチャンネルは、協調型グラントチャンネルと称される。というのは、協調型グラントチャンネルは、セルのアクティブセットのうちの１つ以上のセル／ＢＳからの送信を含み、そして協調型マルチセル通信技術、例えば、ＦＣＳ、共同送信、又は他の協調型マルチセル通信技術の使用に基づいて信号利得（例えば、増加した信号クオリティ及び／又は増加した信号強度）を与え／含むからである。
【００５４】
ここに例示する規範的実施形態によれば、信号強度は、セルのアクティブセットのうちの各セルから受信した信号（例えば、共通の基準信号）に対して測定される。規範的実施形態によれば、協調型チャンネル（例えば、協調型グラントチャンネル又は協調型データチャンネル）の推定値は、アクティブなセルのセットのうちの各セルからの信号の信号強度の和を、そのアクティブセットに入らないセルにより生成される干渉で分割されたものとして決定され又は計算される。例えば、アクティブセットに３つのセルがあり、そして非コヒレントな共同送信が協調型マルチセル通信技術として使用される場合には、協調型チャンネルの推定信号強度が、例えば、次のように決定される。
【００５５】
協調型チャンネルの推定信号強度＝ＳＳ１＋ＳＳ２＋ＳＳ３であり、ここで、ＳＳ１、ＳＳ２及びＳＳ３は、各々、セル１、セル２及びセル３から受信した共通基準信号の測定信号強度を指す。協調型チャンネルの推定値＝（ＳＳ１＋ＳＳ２＋ＳＳ３）／Ｉ＿othersであり、ここで、Ｉ＿othersは、アクティブセットに含まれないセルにより生成される干渉である。別の規範的実施形態では、信号（例えば、共通基準信号）のＳＩＮＲは、共同送信が使用される場合には、協調型チャンネルの推定ＳＩＮＲを得るために総計され又は一緒に加算される。更に、協調型マルチセル通信技術が使用されるときコヒレントな共同送信が使用される場合には、ビームフォーミングオフセット値（例えば、２ｄＢ）が前記和に次のように加算される。
【００５６】
協調型チャンネルの推定信号強度＝（ＳＳ１＋ＳＳ２＋ＳＳ３＋ＢＦ＿Offset）／Ｉであり、ここで、Ｉは、アクティブセットに含まれないセルにより生成される干渉であり、そしてＢＦ＿Offsetは、ビームフォーミング重みを使用して送信側セルに基づいてユーザ装置／受信器に得られる予想される／おおよその追加信号利得を指す。
【００５７】
同様に、ここに例示する別の規範的実施形態では、セルのアクティブセットのうちの各セルから受信される信号（例えば、共通の基準信号）に対してＳＩＮＲが測定される。規範的実施形態によれば、ユーザ装置への送信に対して最良のセル（例えば、最大信号クオリティを有する）を選択するＦＣＳ（第１セル選択）が使用される。それ故、ＦＣＳが協調型マルチセル通信技術として使用されるこの例では、ユーザ装置は、アクティブセット内の各セルからの共通基準信号のＳＩＮＲを決定し、次いで、ユーザ装置は、協調型チャンネル（例えば、協調型グラントチャンネル又は協調型データチャンネル）の推定ＳＩＮＲを、アクティブセットにおける最良のセル、例えば、最大／最高信号クオリティを有するセルのＳＩＮＲとして決定する。
【００５８】
これらは、個々のセルから受信した信号の測定特性に基づいて協調型チャンネルの特性の推定値を決定するのに使用される技術の幾つかの例示に過ぎない。このように、ユーザ装置は、それが、例えば、データ又はグラント情報を受信するようにスケジュールされていないときでも、協調型チャンネルの推定特性を得ることができる。
【００５９】
３２４において、ユーザ装置１３２は、協調型チャンネル（例えば、協調型グラントチャンネル又は協調型データチャンネル）の推定特性をスレッシュホールドと比較する。例えば、協調型チャンネルの推定特性が第１スレッシュホールドより大きい場合には、これは、ユーザ装置が協調型チャンネルを経て情報を受信できると予想されるに充分な信号強度及び／又は信号クオリティを協調型チャンネルが有すると推定されることを指示する。そのようなケースでは、ユーザ装置は、協調型チャンネルを経て情報（データ又は制御信号）を受信（受信及びデコード）するように進む。
【００６０】
しかしながら、協調型チャンネルの推定特性（例えば、推定信号強度又は推定信号クオリティ）が第２スレッシュホールドより低い場合には、これは、協調型チャンネルを経てユーザ装置が情報を受信するには不充分な信号強度及び／又は信号クオリティを協調型チャンネルが有すると推定されることを指示する。規範的実施形態によれば、協調型チャンネルの推定特性が不充分な場合には、ユーザ装置は、例えば、このケースでは協調型信号を受信し及び／又はそれをデコードするよう試みるように進まず、そしてユーザ装置は、通信セッションを終了する（通信セッションの各接続を終了することを含む）。そのようなケースでは、現在通信セッションが終了すると、ユーザ装置は、新たなマルチセル通信セッションの確立を開始する。或いは又、ユーザ装置は、通信セッション障害の検出に応答して通信セッションから１つ（以上）の接続を単にドロップしてもよい。
【００６１】
１つの規範的実施形態によれば、ユーザ装置１３２は、例えば、スケジューリンググラント情報が協調型グラントチャンネルを経てユーザ装置へ送信されないとき、ユーザ装置に対するセルのアクティブセットのうちの１つ以上のセルから受信した共通の基準信号の信号対干渉及び雑音比（ＳＩＮＲ）を測定する。上述したように、協調型グラントチャンネルは、協調型マルチセル通信技術（例えば、ＦＣＳ又はＪＴ）を使用してグラントチャンネルを経てユーザ装置へスケジューリンググラント（１つ又は複数）を送信するセルのアクティブセットに基づく信号利得を含むグラントチャンネルを含む。これらの共通基準信号（又は他の信号）は、ユーザ装置がグラントチャンネル（例えば、ＰＤＣＣＨ）を経てスケジューリンググラントを受信し／受信するようスケジュールされたときに、及び／又はユーザ装置がデータチャンネル（例えば、ＰＤＳＣＣＨ）を経てデータを受信し又は受信するようスケジュールされたときに、ユーザ装置により受信され及び測定される。或いは又、共通基準信号（又は他の信号）は、ユーザ装置がグラントチャンネルにわたってグラント情報を又はデータチャンネルにわたってデータを受信しない／受信するようにスケジュールされていないときでも、アクティブセットの各セルから受信されそしてユーザ装置により測定される。
【００６２】
規範的実施形態によれば、アクティブセットの各セルからの共通基準信号のＳＩＮＲが測定された後に、ユーザ装置は、個々のセルからの共通基準信号の１つ以上の測定ＳＩＮＲに基づいて、協調型マルチセル通信技術を使用して協調型グラントチャンネルを経て情報を送信する複数のセルに基づく信号利得を含む協調型グラントチャンネルのブロックエラー率（ＢＬＥＲ）を推定する。
【００６３】
規範的実施形態によれば、ユーザ装置は、協調型チャンネルの測定特性を使用し（例えば、ユーザ装置がスケジュールされそして協調型チャンネルが協調型マルチセル通信技術からの信号利得を反映するときに、協調型データチャンネル又は協調型グラントチャンネルを実際に測定して）、次いで、協調型チャンネルのこの実際の測定を使用して、協調型チャンネルの推定特性の精度を検証し及び／又はそれを調整する。例えば、ユーザ装置は、１）協調型グラントチャンネルの測定特性（実際に測定されたもので、推定ではない）を、協調型グラント又はデータチャンネルの推定特性と比較して、エラー（協調型チャンネルの測定特性と協調型チャンネルの推定特性との差）を決定し、２）そのエラーに基づいて、協調型チャンネルの推定特性に適用されるべき修正技術を決定し（例えば、協調型チャンネルの推定特性の精度を修正及び／又は改善するために）、及び３）その修正技術に基づいて協調型チャンネルの推定特性を修正する。
【００６４】
ここに示す例では、協調型チャンネルの測定ＳＩＮＲが協調型チャンネルの推定ＳＩＮＲより２０ｄＢ高い場合には、エラーが２０ｄＢとなる。例えば、修正技術は、この簡単な例では、協調型チャンネルの推定ＳＩＮＲに２０ｄＢを追加する。それ故、この例では、推定チャンネルの精度は、協調型チャンネルの推定ＳＩＮＲに修正技術を適用することにより改善され、例えば、推定ＳＩＮＲに２０ｄＢが追加されて、例えば、協調型チャンネルの調整された推定ＳＩＮＲを得る。このように、協調型チャンネルの実際の測定特性は、時々又は周期的に、例えば、ユーザ装置が協調型データチャンネル又は協調型グラントチャンネルを経てデータ又は信号を受信するようにスケジュールされたときに、ユーザ装置により測定され、従って、協調型チャンネルの実際の測定特性は、ユーザ装置に対する協調型チャンネルの１つ以上の推定特性を調整又は修正するためにフィードバックとして使用される。それ故、協調型チャンネルの実際の測定特性（例えば、信号強度又は信号クオリティ）は、協調型チャンネルの推定値又は推定特性の精度又は性能を改善し、例えば、協調型チャンネルに対する接続障害検出を改善するために使用される。
【００６５】
多数の付加的な実施例について以下に述べる。ここに例示する１つの規範的実施形態によれば、ユーザ装置（又はＵＥ）は、１つ以上のセルから受信したセル特有の基準信号（又は共通基準信号）に基づいてダウンリンク無線リンク（又は接続又は通信セッション）のクオリティを監視して、協調型（又はバーチャル）セル又は協調型（又はバーチャル）チャンネルのダウンリンク無線リンククオリティを検出する。例えば、ユーザ装置は、協調型（又はバーチャル）チャンネル又はリンクのダウンリンク無線リンククオリティを推定し、そしてそれ（推定されたチャンネル／リンククオリティ）を、協調型／バーチャルセルのダウンリンク無線リンククオリティを監視する目的で、スレッシュホールドＱout及びＱinと比較する。協調型／バーチャルセルは、協調型マルチセル通信技術を使用してユーザセルと通信するセルのアクティブセットのうちの１つ以上のセルを含む。例えば、スレッシュホールドＱoutは、ダウンリンク無線リンクを確実に受信できないレベルとして定義され、そしてそれがユーザ装置に対するスケジューリンググラントを含むとき及びセルのアクティブセットが協調型マルチセル通信技術を使用してスケジューリンググラントをユーザ装置へ送信するときに協調型／バーチャルグラントチャンネル（例えば、協調型／バーチャルＰＤＣＣＨ）のブロックエラー率（ＢＬＥＲ）に対応する。これは、例えば、アクティブセットからの最良のグラントチャンネル／最良のＰＤＣＣＨ（最良のセルから送信される）が、スケジューリンググラントの送信に使用され（例えば、ＦＣＳに対して）、或いは全てのセル（又はセルのアクティブセットの全てのグラントチャンネル／ＰＤＣＣＨ）に対して、共同で／同時にスケジューリンググラント（１つ又は複数）をユーザ装置に送信する（例えば、コヒレントな又は非コヒレントなＪＴに対して）のに使用されることを含む。規範的実施形態において、スレッシュホールドＱinは、ダウンリンク無線リンククオリティがＱoutよりも著しく高い信頼度で受信できるレベルとして定義され、そして例えば、仮説的な協調型／バーチャルグラントチャンネルの２％のブロックエラー率（ＢＬＥＲ）に対応する。Ｑoutは、例えば、１０％ＢＬＥＲに対応する（ここに示す例として）。
【００６６】
それ故、規範的な実施形態によれば、ユーザ装置がスケジュールされる（例えば、ダウンリンクデータを受け取るようにスケジュールされる）とき、ユーザ装置へのスケジューリンググラントを含むグラントチャンネル（ＰＤＣＣＨ）は、セルのアクティブセットからユーザ装置へデータを送信するのに使用されるものと同じ協調型マルチセル通信技術を使用して（ＪＴに対するアクティブセットの全てのセルを経て、又はＦＣＳのセットのうちの最良のセルを経て）送信されると仮定する（少なくともあるケースでは）。従って、規範的な実施形態によれば、データチャンネルにわたりデータを送信するのに使用されるものと同じ協調型マルチセル通信技術を使用してグラントチャンネル（例えば、ＰＤＣＣＨ）にわたりスケジューリンググラントを送信することにより、これは、例えば、（例えば、ユーザ装置の移動又は動きにより生じる）無線状態に挑戦するときでもスケジューリンググラントが受信されるように、データチャンネルを経て与えられるものと同じ信号／チャンネル利得をグラントチャンネルに与える。
【００６７】
規範的実施形態によれば、個々のグラントチャンネル（例えば、個々のセルからのグラントチャンネル）を使用してマルチセル通信セッション障害を検出するのではなく、障害は、協調型又はバーチャルグラントチャンネルに基づき決定される。例えば、協調型又はバーチャルグラントチャンネルは、例えば、ユーザ装置へ送信されるセル又はチャンネルのアクティブセットにより使用される協調型マルチセル通信技術に従って個々のグラントチャンネルのユーザ特有の組み合せを仮定すれば、有効なチャンネルである。ユーザ装置は、ネットワーク構成時に無線リンク（又は接続）障害を決定する。例えば、ユーザ装置は、それが使用する協調型マルチセル通信技術の通知を受け取るとき又はそれが動作するように構成されるとき、ここに述べる１つ以上の技術を使用して無線リンク（又は接続）障害を決定する。或いは又、ユーザ装置が通信セッション障害を検出できるようにするために新たな又は特定の指示がネットワークから送信されてもよい。
【００６８】
ここに示す例によれば、通信セッション障害は、ユーザ装置がアクティブセットの個々のセルからの基準信号の信号クオリティ（例えば、ＳＩＮＲ）を検出し、次いで、個々のセル信号のＳＩＮＲに基づき、ブロックエラー率（ＢＬＥＲ）、協調型又はバーチャルグラント（例えば、ＰＤＣＣＨ）チャンネルのブロックエラー率（ＢＬＥＲ）を推定することに基づいて検出され、ここで、協調型／バーチャルグラントチャンネルは、協調型マルチセル通信技術（例えば、ＦＣＳ又は共同送信）を使用して送信されることによる信号利得を含む。例えば、協調型マルチセル通信技術としてＦＣＳが使用される場合には、ユーザ装置は、アクティブセットの最良セルがグラント（例えば、ＰＤＣＣＨ）チャンネルを経てスケジューリンググラントを送信すると仮定する（例えば、協調型グラントチャンネルのＢＬＥＲを推定する際に）。同様に、例えば、協調型マルチセル通信技術として共同送信が使用される場合には、ユーザ装置は、アクティブセットの全てのセルがグラントチャンネルを経てスケジューリンググラントを送信すると仮定する（例えば、協調型グラントチャンネルのＢＬＥＲを推定する際に）。ここに示す幾つかの例を以下に説明する。
【００６９】
ここに示す例によれば、高速セル切り換え（ＦＣＳ）を協調型マルチセル通信技術として使用して、例えば、協調型データチャンネルを経てユーザにデータを送信し、そしてユーザにスケジューリンググラント（１つ又は複数）を送信すると仮定する。ここに示す例では、アクティブセットは、セル１、２及び３を含む。最強／最良セルのシーケンスは、１、１、１、２、２、１、１、３、３、３（１０個の連続送信時間インターバル（ＴＴＩ）において）であると仮定する。例えば、ユーザ装置は、例えば、セルのアクティブセットのうちの１つ以上の又は全てのセルからユーザ装置により受信されるチャンネルクオリティ指示（ＣＱＩ）に基づいて、最良のセルを測定又は決定する。例えば、ＴＴＩｔにおけるセルｘのＳＩＮＲは、ＳＩＮＲ＿ｘ（ｔ）と表わされる。前記定義の結果として、ユーザ装置は、障害検出のため次のＳＩＮＲシーケンスを仮定する。ＳＩＮＲ＿１（１）、ＳＩＮＲ＿１（２）、ＳＩＮＲ＿１（３）、ＳＩＮＲ＿２（４）、ＳＩＮＲ＿２（５）、ＳＩＮＲ＿１（６）、ＳＩＮＲ＿１（７）、ＳＩＮＲ＿３（８）、ＳＩＮＲ＿３（９）、ＳＩＮＲ＿３（１０）。最も簡単なケースでは、ユーザ装置は、ＳＩＮＲのこのシーケンスにＱout／Ｑinスレッシュホールドのようなスレッシュホールドを適用して、障害を決定する。例えば、ＳＩＮＲがＱoutより低い場合には、マルチセル通信セッションが障害と考えられ、そして障害の通信セッションが終了される。
【００７０】
或いは又、ユーザ装置は、Ｑout／Ｑinスレッシュホールドを適用する前にＳＩＮＲ（例えば、平均５個の最新のＳＩＮＲ）に平均化を適用する。
【００７１】
同様に、ここに示す別の例では、共同送信（例えば、アクティブセット内の全てのセルからの）が協調型マルチセル通信技術として使用され、そして接続障害又は無線リンク障害は、協調型／バーチャルグランドチャンネルの推定ＢＬＥＲ、例えば、グラントチャンネルがアクティブセットの全てのセル／全ての個々のグラントチャンネルから送信されるユーザ装置のスケジューリンググラントを含むときは協調型グラントチャンネルの推定ＢＬＥＲ、を使用して定義され又は決定される。
【００７２】
図４は、規範的実施形態により３つのセルがユーザ装置／ＵＥへ送信するところを示す図である。この例では、アクティブセットに３つのセルがあり、そして全てのセルは、ユーザ装置により−６０ｄＢｍの強度で受信される。この例は、協調型マルチセル送信技術を使用して、例えば、ユーザ装置によって受信されるグラントチャンネル／ＰＤＣＣＨの信号クオリティ／ＳＩＮＲをどのように改善するか示している。−９０ｄＢｍのバックグランド干渉を仮定する。各セルは、−６０ｄＢｍの強度でユーザ装置／ＵＥにより受信される。個々のＰＤＣＣＨのＳＩＮＲは、〜−３ｄＢである（というのは、各グラントチャンネルが他のセルから−６０ｄＢｍ信号を２回受信し、協調を行わないと、これが干渉として解釈されるからである）。
【００７３】
図４を参照する第１の規範的実施形態において、接続／リンク障害を決定するのに１つのセルが使用され、そして協調型マルチセル通信技術は、グラントチャンネル／ＰＤＣＣＨを送信するのに使用されず且つ障害検出にも使用されない。このようなケースでは、一次セル（セルの１つ）からの信号を測定する際に、そのセルの信号は、−６０ｄＢｍであり、そして他のセルは、干渉と考えられる。
【００７４】
信号：−６０ｄＢｍ
【００７５】
干渉：ｄｂ２１（−６０ｄＢｍ）＋ｄｂ２１（−６０ｄＢｍ）＋ｄｂ２１（−６０ｄＢｍ）＝−６０ｄＢｍ＋４．８ｄＢ〜−５５ｄＢｍ、ここで、ｄｂ２１は、指示された電力レベルが対数ｄＢｍドメインから総計前に線型電力ドメインへと換算されることを意味する。
【００７６】
ＳＩＮＲ＝−３ｄＢ
【００７７】
しかしながら、図４のシステムの別の実施形態では、協調型マルチセル通信技術を使用してデータ（データチャンネルを経て）及びスケジューリンググラント（グラントチャンネル／ＰＤＣＣＨを経て）の両方をユーザ装置へ送信する。しかしながら、データ及びスケジューリンググラントは、ユーザ装置に対する接続／リンク障害を決定するために常に使用することはできない。従って、協調型グラントチャンネルのＢＬＥＲ（又は他の信号特性）の推定値は、アクティブセットの各セルからの個々の共通基準信号のＳＩＮＲに基づいて決定される。例えば、各個々のセルのＳＩＮＲ又は信号強度（共同送信／ＳＦＮのための）は、電力線型ドメインにおいて加算又は総計され、次いで、協調型グラントチャンネルのためのＢＬＥＲを推定するのに使用されて、ユーザ装置が協調型マルチセル通信技術を経てデータ／信号を受信する接続／障害検出をより正確に遂行する。
【００７８】
それ故、図４を参照すれば、協調型マルチセル通信技術（例えば、共同送信）を使用してデータ及びスケジューリンググラントを送信する場合には、付加的な信号利得（例えば、協調型マルチセル通信技術の使用による信号利得）がユーザ装置により受け取られる。
【００７９】
信号：ｄｂ２１（−６０ｄＢｍ）＋ｄｂ２１（−６０ｄＢｍ）＋ｄｂ２１（−６０ｄＢｍ）〜−５５ｄＢｍ
【００８０】
干渉：−９０ｄＢｍ
【００８１】
ＳＩＮＲ＝３５ｄＢ。又、データチャンネルのＳＩＮＲは、３５ｄＢである。アクティブセット内の他のセルが干渉することによるアクティブセット内の干渉は、省かれ／回避され、それに代って５ｄＢのＳＦＮ／協調型マルチセル利得が得られる。この例は、個々のＰＤＣＣＨと、協調型グラントチャンネル／ＰＤＣＣＨの使用、例えば、グラントチャンネル／ＰＤＣＣＨに対する協調型マルチセル通信技術の使用との間に、３８ｄＢのＳＩＮＲ差がある（ＳＦＮ／ＪＴ信号利得を含めて）ことを示している。
【００８２】
図５は、規範的実施形態による４つのセル及びユーザ装置／ＵＥを示す図である。図５の例では、データ（協調型データチャンネルを経て）及びスケジューリンググラント（協調型グラント／ＰＤＣＣＨチャンネルを経て）をユーザ装置へ送信するために４つのセルのうちの３つにより共同送信が使用される。図５に示す例では、第４のセルが−５０ｄＢｍにあり、これは、アクティブセットに追加できない（例えば、このセルは、別のベースステーションのホテルに属する）。更に、ターミナルが高速であり及び／又は大きな陰影変動があるので、ハンドオーバーがまだ実行されていないと仮定する。この例では、アクティブセットにおける個々のＰＤＣＣＨ／グラントチャンネルのＳＩＮＲは、−１１ｄＢとなり（これは、おそらく障害検出を終了させる）、一方、データチャンネルのＳＩＮＲは、−５ｄＢである。又、協調型／バーチャルグラント（ＰＤＣＣＨ）チャンネルのＳＩＮＲも、−５ｄＢとなる。
【００８３】
従って、図５を参照すれば、セル特有の基準信号のクオリティ（即ち、ユーザ装置／ＵＥがスケジュールされていないときでも直接測定できる）は、次の通りである。
信号：−６０ｄＢｍ
干渉：ｄｂ２１（−６０ｄＢｍ）＋ｄｂ２１（−６０ｄＢｍ）＋ｄｂ２１（−５０ｄＢｍ）〜−４９ｄＢｍ
ＳＩＮＲ：−１１ｄＢ
【００８４】
しかしながら、協調型グラントチャンネルのＳＩＮＲは、次の通りである。
信号：ｄｂ２１（−６０ｄＢｍ）＋ｄｂ２１（−６０ｄＢｍ）＋ｄｂ２１（−６０ｄＢｍ）〜−５５ｄＢｍ
干渉：−５０ｄＢｍ
ＳＩＮＲ＝−５ｄＢ
【００８５】
図５における最後の例は、障害検出が不必要に終了し、即ちユーザ装置が、再確立が生じる時間中（おそらく、少なくとも５０ｍｓ）サービス停止となることを示している。完全を期すために、ＳＩＮＲが−８ｄＢ以下である場合には（アクティブセットのサイズが小さい場合に）障害検出を終了しなければならないケースも存在する。
【００８６】
規範的実施形態によれば、ユーザ装置／ＵＥは、当該グラントチャンネルがスケジューリング時にアクティブセット内のセルから協調型マルチセル（例えば、ＦＳＣ／ＪＴ／ＳＦＮ）利得を受け取ることが通知され又はそれに気付く。スケジュールされないときは、ユーザ装置は、例えば、１）全てのリンクの信号強度、又は２）個々のグラントチャンネルのＳＩＮＲを測定することができる。従って、ユーザ装置／ＵＥは、協調型グラントチャンネルに対するＳＩＮＲを依然近似し、従って、障害の検出に通じる協調型グラントチャンネルのＢＬＥＲ、例えば、１０％ＢＬＥＲを予想／推定することができる。
【００８７】
従って、例えば、２つの技術を例示する。既知の信号強度を使用して、−５ｄＢのＳＩＮＲを容易に近似することができる。非常に大まかな近似は、個々のリンクのＳＩＮＲを測定し、そしてバーチャル／協調型グラントチャンネルの合計ＳＩＮＲを個々のＳＩＮＲの線型の和として計算することである。あるケースでは、この近似は、非常に正確ではないが、目標／目的が、ＢＬＥＲが障害を決定するためのスレッシュホールドＱoutである約１０％以上かどうか決定することである場合には、充分である。ここに例示する幾つかの例は、一例として与えられたものである。しかしながら、ＢＬＥＲを推定するためにユーザ装置により使用される特定のアルゴリズム又は技術、或いは個々のセル信号に基づく協調型チャンネルの他の特性は、異なる実施形態及び／又は異なるユーザ装置に対して変化する。又、データ又は信号をユーザ装置へ送信するためにアクティブセットにより異なる協調型マルチセル通信技術が使用されるときには障害検出及び／又は障害の定義に使用される技術も変化する。従って、ユーザ装置は、ユーザ装置と通信するためのセルのアクティブセットにより使用される協調型マルチセル通信技術が通知される。
【００８８】
更に、ユーザ装置は、検証を実行し、即ち１）例えば、ＵＥがスケジュールされないときに、アクティブセット内の各セルからの信号の個々のＳＩＮＲに基づく協調型チャンネルの推定ＳＩＮＲを、２）例えば、ユーザ装置がスケジュールされるか或いはスケジューリンググラント又はデータを受信するときに、協調型チャンネルの実際に測定されたＳＩＮＲと比較する。この比較を使用して、例えば、近似／ＳＩＮＲ推定値に修正ファクタを適応し、精度を改善する。
【００８９】
そして、更に別の規範的な実施形態によれば、障害検出のためにグラントチャンネルを使用するのとは別に、障害検出のために特別のダウンリンクチャンネルが定義される。この特別のダウンリンクチャンネルは、普通の又は周期的な専用基準信号を、各々の接続されたユーザ装置へ、それらがスケジュールされていなくても、送信することができる。ユーザ装置特有の専用基準信号（例えば、各ユーザ装置に特有の信号）は、データ送信（例えば、ＦＣＳ、ＳＦＮ、ＪＴ）及び／又はスケジューリンググラント送信と同じ協調型マルチセル通信技術を使用して送信される。これは、ＬＴＥアップリンクに使用されるサウンディング基準信号（ＳＲＳ）と同様に設計される。そのような基準信号のコストも、ＳＲＳと同様である。
【００９０】
図６は、規範的実施形態によるユーザ装置のオペレーションを示すフローチャートである。オペレーション６１０は、ユーザ装置のためのマルチセル通信セッションを確立することを含み、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；そしてオペレーション６２０は、協調型マルチセル通信技術により与えられる信号利得を考慮に入れてマルチセル通信セッションのための通信セッション障害検出をユーザ装置により遂行することを含む。
【００９１】
図６の方法の規範的実施形態によれば、前記遂行することは、複数のセルの個々のセルからの信号の測定値に基づいて複数のセルとユーザ装置との間のマルチセル通信セッションの性能の推定値を発生することにより通信セッション障害検出をユーザ装置により遂行することを含む。
【００９２】
図６の方法の規範的実施形態によれば、前記複数のセルは、協調型マルチセル通信技術を使用して協調型グラントチャンネルを経てユーザ装置へスケジューリンググラント情報を送信するのにも使用される。
【００９３】
図６の方法の規範的実施形態によれば、前記遂行することは、前記複数のセルのうちの１つ以上の各々から受信した共通基準信号の特性をユーザ装置により測定し；前記協調型マルチセル通信技術を使用して前記協調型グラントチャンネルを経て情報を送信する前記複数のセルに基づく信号利得を含む前記協調型グラントチャンネルの特性を、１つ以上のセルからの共通基準信号の前記測定された特性に基づいてユーザ装置により推定し；及び前記協調型グラントチャンネルの前記推定された特性をスレッシュホールドに対して比較する；ことを含む。
【００９４】
図６の方法の規範的実施形態によれば、前記測定することは、前記協調型グラントチャンネルを経てユーザ装置へスケジューリンググラント情報が送信されないときに前記複数のセルの１つ以上から受信した共通基準信号の信号対干渉及び雑音比（ＳＩＮＲ）をユーザ装置により測定することを含み；及び前記推定することは、前記協調型マルチセル通信技術を使用して前記協調型グラントチャンネルを経て情報を送信する複数のセルに基づく信号利得を含む前記協調型グラントチャンネルのブロックエラー率（ＢＬＥＲ）を、前記共通基準信号の１つ以上の測定されたＳＩＮＲに基づいてユーザ装置により推定することを含む。
【００９５】
図６の方法の規範的実施形態によれば、前記方法は、更に、前記協調型マルチセル通信技術を使用して情報を送信する複数のセルに基づく信号利得を含む前記協調型グラントチャンネル又は協調型データチャンネルから受信した信号の１つ以上の特性をユーザ装置により測定して、前記協調型グラントチャンネルの推定特性の精度を検証することを含む。
【００９６】
図６の方法の規範的実施形態によれば、前記方法は、更に、前記協調型グラントチャンネル又は協調型データチャンネルから受信した信号の１つ以上の測定された特性を、前記協調型グラントチャンネルの推定特性とユーザ装置により比較して、エラーを決定し；このエラーに基づいてユーザ装置により、前記協調型グラントチャンネルの推定特性を修正するための修正技術を決定し；及びその修正技術に基づいて前記協調型グラントチャンネルの推定特性を修正する；ことを含む。
【００９７】
図６の方法の規範的実施形態によれば、前記測定される特性は、次のもの、即ち、信号クオリティ；信号対干渉及び雑音比（ＳＩＮＲ）；信号強度又は電力；エラー率；及びブロックエラー率（ＢＬＥＲ）；のうちの１つ以上を含む。
【００９８】
図６の方法の規範的実施形態によれば、前記方法は、更に、前記協調型マルチセル通信技術の指示をユーザ装置により受け取ることを含む。
【００９９】
図６の方法の規範的実施形態によれば、前記協調型マルチセル通信技術は、高速セル選択（ＦＣＳ）通信技術；非コヒレントな共同送信通信技術；及びコヒレントな共同送信通信技術；のうちの少なくとも１つを含む。
【０１００】
図６の方法の規範的実施形態によれば、前記複数のセルは、前記協調型マルチセル通信技術を使用してユーザ装置特有の協調型マルチセル基準信号を送信するのに使用され、前記遂行することは、前記複数のセルのうちの１つ以上から受信した前記ユーザ装置特有の協調型マルチセル基準信号の１つ以上の特性をユーザ装置により測定し；及び前記協調型マルチセル通信技術を使用して送信された前記複数のセルのうちの１つ以上からの前記ユーザ装置特有の協調型マルチセル基準信号の１つ以上の測定された特性に基づいて通信セッション障害検出をユーザ装置により遂行する；ことを含む。
【０１０１】
図６の方法の規範的実施形態によれば、前記協調型グラントチャンネルは、前記協調型マルチセル通信技術を使用してグラント情報がユーザ装置へ送信されるときに通る協調型物理的ダウンリンク制御チャンネル（ＰＤＣＣＨ）を含む。
【０１０２】
規範的実施形態によれば、装置は、少なくとも１つのプロセッサ、及びコンピュータインストラクションを含む少なくとも１つのメモリを備え、そのコンピュータインストラクションは、少なくとも１つのプロセッサにより実行されたときに、装置が、ユーザ装置のためのマルチセル通信セッションを確立するようにさせ、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；及び協調型マルチセル通信技術により与えられる信号利得を考慮に入れてマルチセル通信セッションのための通信セッション障害検出をユーザ装置により遂行する；ようにさせるものである。
【０１０３】
装置の規範的実施形態によれば、前記装置が遂行するようにさせることは、前記装置が、前記複数のセルの個々のセルからの信号の測定値に基づいて複数のセルとユーザ装置との間のマルチセル通信セッションの性能の推定値を発生することによって通信セッション障害検出をユーザ装置により遂行するようにさせることを含む。
【０１０４】
装置の規範的実施形態によれば、前記複数のセルは、前記協調型マルチセル通信技術を使用して協調型グラントチャンネルを経てユーザ装置へスケジューリンググラント情報を送信するのに使用される。
【０１０５】
装置の規範的実施形態によれば、前記装置が遂行するようにさせることは、前記装置が、前記複数のセルのうちの１つ以上の各々から受信した共通基準信号の特性をユーザ装置により測定し；前記協調型マルチセル通信技術を使用して前記協調型グラントチャンネルを経て情報を送信する前記複数のセルに基づく信号利得を含む前記協調型グラントチャンネルの特性を、前記１つ以上のセルからの共通基準信号の前記測定された特性に基づいてユーザ装置により推定し；及び前記協調型グラントチャンネルの前記推定された特性をスレッシュホールドに対して比較する；ようにさせることを含む。
【０１０６】
装置の規範的実施形態によれば、前記装置が測定するようにさせることは、前記装置が、前記協調型グラントチャンネルを経てユーザ装置へスケジューリンググラント情報が送信されないときに前記複数のセルの１つ以上から受信した共通基準信号の信号対干渉及び雑音比（ＳＩＮＲ）をユーザ装置により測定するようにさせることを含み、及び前記装置が推定するようにさせることは、前記装置が、前記協調型マルチセル通信技術を使用して前記協調型グラントチャンネルを経て情報を送信する複数のセルに基づく信号利得を含む前記協調型グラントチャンネルのブロックエラー率（ＢＬＥＲ）を、前記共通基準信号の１つ以上の測定されたＳＩＮＲに基づいてユーザ装置により推定するようにさせることを含む。
【０１０７】
装置の規範的実施形態によれば、前記装置は、更に、前記協調型マルチセル通信技術を使用して情報を送信する複数のセルに基づく信号利得を含む前記協調型グラントチャンネル又は協調型データチャンネルから受信した信号の１つ以上の特性をユーザ装置によって測定して、前記協調型グラントチャンネルの推定特性の精度を検証するようにさせる。
【０１０８】
装置の規範的実施形態によれば、更に、前記装置が、前記協調型グラントチャンネル又は協調型データチャンネルから受信した信号の１つ以上の測定された特性を、前記協調型グラントチャンネルの推定特性とユーザ装置により比較して、エラーを決定するようにさせ；前記装置が、前記エラーに基づいてユーザ装置により、前記協調型グラントチャンネルの推定特性を修正するための修正技術を決定するようにさせ；及び前記装置が、前記修正技術に基づいて前記協調型グラントチャンネルの推定特性を修正するようにさせる；ことを含む。
【０１０９】
装置の規範的実施形態によれば、前記複数のセルは、前記協調型マルチセル通信技術を使用してユーザ装置特有の協調型マルチセル基準信号を送信するのに使用され、前記装置が遂行するようにさせることは、前記装置が、前記複数のセルのうちの１つ以上から受信した前記ユーザ装置特有の協調型マルチセル基準信号の１つ以上の特性をユーザ装置により測定するようにさせ；及び前記装置が、前記協調型マルチセル通信技術を使用して送信された前記複数のセルのうちの１つ以上からの前記ユーザ装置特有の協調型マルチセル基準信号の１つ以上の測定された特性に基づいて通信セッション障害検出をユーザ装置により遂行するようにさせる；ことを含む。
【０１１０】
規範的実施形態によれば、コンピュータプログラム製品は、実行可能なコードを記憶する非一時的コンピュータ読み取り可能なストレージ媒体を含み、その実行可能なコードは、少なくとも１つのデータ処理装置により実行されたときに、その少なくとも１つのデータ処理装置が、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用されるものであり；及び協調型マルチセル通信技術により与えられる信号利得を考慮に入れてマルチセル通信セッションのための通信セッション障害検出をユーザ装置により遂行する；ことを含む方法を遂行するようにさせる。
【０１１１】
別の規範的実施形態によれば、装置は、ユーザ装置のためのマルチセル通信セッションを確立する手段（８０２Ａ／８０２Ｂ及び／又は８０４）を備え、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；及び協調型マルチセル通信技術により与えられる信号利得を考慮に入れてマルチセル通信セッションに対する通信セッション障害検出をユーザ装置により遂行する手段（８０２Ａ／８０２Ｂ及び／又は８０４）を備えている。
【０１１２】
装置の規範的実施形態によれば、前記遂行する手段は、複数のセルのうちの個々のセルからの信号の測定値に基づいて複数のセルとユーザ装置との間のマルチセル通信セッションの性能の推定値を発生することにより通信セッション障害検出をユーザ装置により遂行する手段（８０２Ａ／８０２Ｂ及び／又は８０４）を含む。
【０１１３】
装置の規範的実施形態によれば、複数のセルは、協調型マルチセル通信技術を使用して協調型グラントチャンネルを経てユーザ装置へスケジューリンググラント情報を送信するのに使用される。
【０１１４】
装置の規範的実施形態によれば、前記遂行する手段は、複数のセルのうちの１つ以上の各々から受信した共通基準信号の特性をユーザ装置により測定する手段（８０２Ａ／８０２Ｂ及び／又は８０４）；協調型マルチセル通信技術を使用して協調型グラントチャンネルを経て情報を送信する複数のセルに基づく信号利得を含む協調型グラントチャンネルの特性を、１つ以上のセルからの共通基準信号の前記測定された特性に基づいてユーザ装置により推定し、及び協調型グラントチャンネルの前記推定された特性をスレッシュホールドに対して比較する手段（８０２Ａ／８０２Ｂ及び／又は８０４）；を含む。
【０１１５】
装置の規範的実施形態によれば、前記測定する手段は、協調型グラントチャンネルを経てユーザ装置へスケジューリンググラント情報が送信されないときに複数のセルの１つ以上から受信した共通基準信号の信号対干渉及び雑音比（ＳＩＮＲ）をユーザ装置により測定する手段（８０２Ａ／８０２Ｂ及び／又は８０４）を含み、及び前記推定する手段は、協調型マルチセル通信技術を使用して協調型グラントチャンネルを経て情報を送信する複数のセルに基づく信号利得を含む協調型グラントチャンネルのブロックエラー率（ＢＬＥＲ）を、共通基準信号の１つ以上の測定されたＳＩＮＲに基づいてユーザ装置により推定する手段（８０２Ａ／８０２Ｂ及び／又は８０４）を含む。
【０１１６】
装置の規範的実施形態によれば、前記装置は、更に、協調型マルチセル通信技術を使用して情報を送信する複数のセルに基づく信号利得を含む協調型グラントチャンネル又は協調型データチャンネルから受信した信号の１つ以上の特性をユーザ装置により測定して、協調型グラントチャンネルの推定特性の精度を検証する手段（８０２Ａ／８０２Ｂ及び／又は８０４）を含む。
【０１１７】
装置の規範的実施形態によれば、前記装置は、更に、協調型グラントチャンネル又は協調型データチャンネルから受信した信号の１つ以上の測定された特性を、協調型グラントチャンネルの推定特性とユーザ装置により比較して、エラーを決定する手段（８０２Ａ／８０２Ｂ及び／又は８０４）；そのエラーに基づいてユーザ装置により、協調型グラントチャンネルの推定特性を修正するための修正技術を決定する手段（８０２Ａ／８０２Ｂ及び／又は８０４）；及びその修正技術に基づいて協調型グラントチャンネルの推定特性を修正する手段；を含む。
【０１１８】
装置の規範的実施形態によれば、前記測定される特性は、次のもの、即ち、信号クオリティ；信号対干渉及び雑音比（ＳＩＮＲ）；信号強度又は電力；エラー率；及びブロックエラー率（ＢＬＥＲ）；のうちの１つ以上を含む。
【０１１９】
装置の規範的実施形態によれば、前記装置は、更に、協調型マルチセル通信技術の指示をユーザ装置により受け取る手段（８０２Ａ／８０２Ｂ及び／又は８０４）を含む。
【０１２０】
装置の規範的実施形態によれば、前記協調型マルチセル通信技術は、高速セル選択（ＦＣＳ）通信技術；非コヒレントな共同送信通信技術；及びコヒレントな共同送信通信技術；のうちの少なくとも１つを含む。
【０１２１】
装置の規範的実施形態によれば、複数のセルは、協調型マルチセル通信技術を使用してユーザ装置特有の協調型マルチセル基準信号を送信するのに使用され、前記遂行する手段は、複数のセルのうちの１つ以上から受信したユーザ装置特有の協調型マルチセル基準信号の１つ以上の特性をユーザ装置により測定する手段（８０２Ａ／８０２Ｂ及び／又は８０４）；及び協調型マルチセル通信技術を使用して送信された複数のセルのうちの１つ以上からのユーザ装置特有の協調型マルチセル基準信号の１つ以上の測定された特性に基づいて通信セッション障害検出をユーザ装置により遂行する手段（８０２Ａ／８０２Ｂ及び／又は８０４）；を含む。
【０１２２】
装置の規範的実施形態によれば、協調型グラントチャンネルは、協調型マルチセル通信技術を使用してグラント情報がユーザ装置へ送信されるときに通る協調型物理的ダウンリンク制御チャンネル（ＰＤＣＣＨ）を含む。
【０１２３】
図７は、別の規範的実施形態によるユーザ装置のオペレーションを示すフローチャートである。オペレーション７１０は、ユーザ装置のためのマルチセル通信セッションを確立することを含み、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；オペレーション７２０は、協調型マルチセル通信技術を使用して複数のセルによりユーザ装置へ送信されるユーザ装置特有の協調型マルチセル基準信号を複数のセルからユーザ装置により受信することを含み、そのユーザ装置特有の協調型マルチセル基準信号は、協調型マルチセル通信技術による信号利得を反映するものであり；オペレーション７３０は、その受信したユーザ装置特有の協調型マルチセル基準信号の特性をユーザ装置により測定することを含み；及びオペレーション７４０は、その受信したユーザ装置特有の協調型マルチセル基準信号の特性に基づきマルチセル通信セッションのための通信セッション障害検出をユーザ装置により遂行することを含む。
【０１２４】
図７のフローチャートに示す方法の規範的実施形態によれば、前記受信することは、ユーザ装置が複数のセルからスケジューリンググラント又はデータを受信しない時間中に、協調型マルチセル通信技術を使用して複数のセルによってユーザ装置へ送信されるユーザ装置特有の協調型マルチセル基準信号を複数のセルからユーザ装置により受信することを含む。
【０１２５】
別の規範的実施形態によれば、装置は、ユーザ装置のためのマルチセル通信セッションを確立する手段（８０２Ａ／８０２Ｂ及び／又は８０４）を備え、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；更に、協調型マルチセル通信技術を使用して複数のセルによりユーザ装置へ送信されるユーザ装置特有の協調型マルチセル基準信号を複数のセルからユーザ装置により受信する手段（８０２Ａ／８０２Ｂ及び／又は８０４）を備え、そのユーザ装置特有の協調型マルチセル基準信号は、協調型マルチセル通信技術による信号利得を反映するものであり；更に、その受信したユーザ装置特有の協調型マルチセル基準信号の特性をユーザ装置により測定する手段（８０２Ａ／８０２Ｂ及び／又は８０４）を備え；及び更に、その受信したユーザ装置特有の協調型マルチセル基準信号の特性に基づきマルチセル通信セッションのための通信セッション障害検出をユーザ装置により遂行する手段（８０２Ａ／８０２Ｂ及び／又は８０４）を備えている。
【０１２６】
装置の規範的実施形態によれば、前記受信する手段は、ユーザ装置が複数のセルからスケジューリンググラント又はデータを受信しない時間中に、協調型マルチセル通信技術を使用して複数のセルによってユーザ装置へ送信されるユーザ装置特有の協調型マルチセル基準信号を複数のセルからユーザ装置により受信する手段（８０２Ａ／８０２Ｂ及び／又は８０４）を備えている。
【０１２７】
別の規範的実施形態によれば、装置は、少なくとも１つのプロセッサ、及びコンピュータインストラクションを含む少なくとも１つのメモリを備え、該コンピュータインストラクションは、少なくとも１つのプロセッサにより実行されたときに、装置が、ユーザ装置のためのマルチセル通信セッションを確立するようにさせ、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；その受信したユーザ装置特有の協調型マルチセル基準信号の特性をユーザ装置により測定し；及びその受信したユーザ装置特有の協調型マルチセル基準信号の特性に基づきマルチセル通信セッションのための通信セッション障害検出をユーザ装置により遂行する；ようにさせるものである。
【０１２８】
別の規範的な実施形態によれば、コンピュータプログラム製品は、実行可能なコードを記憶する非一時的なコンピュータ読み取り可能なストレージ媒体を備え、その実行可能なコードは、少なくとも１つのデータ処理装置により実行されたとき、その少なくとも１つのデータ処理装置が、ユーザ装置のためのマルチセル通信セッションを確立し、このマルチセル通信セッションは、ユーザ装置と、同じ周波数レイヤ内の複数のセルの各々との間のワイヤレス接続を含む複数のワイヤレス接続を含むものであり、その複数のセルは、協調型マルチセル通信技術を使用してユーザ装置へデータを送信するか又はユーザ装置からデータを受信するのに使用され；協調型マルチセル通信技術を使用して複数のセルによりユーザ装置へ送信されるユーザ装置特有の協調型マルチセル基準信号を複数のセルからユーザ装置により受信し、そのユーザ装置特有の協調型マルチセル基準信号は、協調型マルチセル通信技術による信号利得を反映するものであり；その受信したユーザ装置特有の協調型マルチセル基準信号の特性をユーザ装置により測定し；及びその受信したユーザ装置特有の協調型マルチセル基準信号の特性に基づきマルチセル通信セッションのための通信セッション障害検出をユーザ装置により遂行する；ことを含む方法を遂行するようにさせるものである。
【０１２９】
図８は、規範的実施形態によるネットワークノード（例えば、ＢＳ又はユーザ装置）８００のブロック図である。このネットワークノード（又はワイヤレスステーション）８００は、例えば、２つのＲＦ（高周波）又はワイヤレストランシーバ８０２Ａ、８０２Ｂを備え、各ワイヤレストランシーバは、信号を送信するための送信器、及び信号を受信するための受信器を備えている。又、ワイヤレスステーションは、インストラクション又はソフトウェア並びに信号の制御送信及び受信を実行するためのプロセッサ８０４、及びデータ及び／又はインストラクションを記憶するためのメモリ８０６も備えている。
【０１３０】
又、プロセッサ８０４は、判断又は決定を行い、送信のためのフレーム、パケット又はメッセージを発生し、受信したフレーム又はメッセージを更なる処理のためにデコードし、更に、ここに述べる他のタスク又は機能を遂行する。例えば、基本帯域プロセッサであるプロセッサ８０４は、ワイヤレストランシーバ８０２を経て送信するためにメッセージ、パケット、フレーム又は他の信号を発生する。プロセッサ８０４は、ワイヤレスネットワークを経ての信号又はメッセージの送信を制御し、そしてワイヤレスネットワークを経て信号又はメッセージ等を受信する（例えば、ワイヤレストランシーバ８０２によりダウン変換された後に）。プロセッサ８０４は、プログラム可能であり、そしてメモリ又は他のコンピュータ媒体に記憶されたソフトウェア又は他のインストラクションを実行して、上述した種々のタスク及び機能、例えば、上述したタスク又は方法の１つ以上を遂行することができる。プロセッサ８０４は、例えば、ハードウェア、プログラマブルロジック、ソフトウェア又はファームウェアを実行するプログラマブルプロセッサ、及び／又はそれらの組み合せである（又はそれらを含む）。他の用語を使用すると、プロセッサ８０４及びトランシーバ８０２は、共に、例えば、ワイヤレス送信／受信システムと考えられる。
【０１３１】
更に、図８を参照すると、コントローラ（又はプロセッサ）８０８は、ソフトウェア及びインストラクションを実行し、ネットワークノード８００のための全体的制御を与え、図８に示されない他のシステムのための制御、例えば、入力／出力装置（例えば、ディスプレイ、キーパッド）の制御を与え、及び／又はネットワークノード８００に与えられる１つ以上のアプリケーションのためのソフトウェア、例えば、ｅ−メールプログラム、オーディオ／ビデオアプリケーション、ワードプロセッサ、ボイスオーバーＩＰアプリケーション、或いは他のアプリケーション又はソフトウェアを実行する。
【０１３２】
更に、コントローラ又はプロセッサにより実行されたときに、プロセッサ８０４或いは他のコントローラ又はプロセッサに上述した機能又はタスクの１つ以上を遂行させるインストラクションが記憶されたストレージ媒体も設けられる。
【０１３３】
しかしながら、これら実施形態は、一例として示されたシステムに限定されず、当業者であれば、他の通信システムに解決策を適用することができよう。適当な通信システムの別の例は、５Ｇの概念である。５Ｇのネットワークアーキテクチャーは、ＬＴＥアドバンストにかなり類似していると仮定する。５Ｇは、おそらく、多入力・多出力（ＭＩＭＯ）アンテナ、ＬＴＥ（いわゆる小セル概念）より非常に多数のベースステーション又はノードを使用するもので、これは、小さなステーションと共同するマクロサイトを含みそしておそらく良好なカバレージ及びデータレート向上のために種々の無線技術も使用する。
【０１３４】
将来のネットワークは、ネットワークノードの機能を、動作的に接続及び一緒にリンクしてサービスを提供する「ビルディングブロック」又はエンティティへとバーチャル化することを提案するネットワークアーキテクチャー概念であるネットワーク機能バーチャル化（ＮＦＶ）をおそらく利用するであろうことが明らかである。バーチャル化ネットワーク機能（ＶＮＦ）は、カスタマイズされたハードウェアではなく標準的又は一般的タイプのサーバーを使用してコンピュータプログラムコードを実行する１つ以上のバーチャルマシンを含む。クラウドコンピューティング又はデータストレージも利用される。無線通信において、これは、ノードのオペレーションが、リモート無線ヘッドに作動的に結合されたサーバー、ホスト又はノードで少なくとも一部分実行されることを意味する。又、ノードのオペレーションが複数のサーバー、ノード又はホストの間に分散されることも考えられる。又、コアネットワークのオペレーションとベースステーションのオペレーションとの間の労力の分散は、ＬＴＥの場合とは異なり、又は存在しないこともあることを理解されたい。
【０１３５】
ここに述べる種々の技術の実施形態は、デジタル電子回路、或いはコンピュータハードウェア、ファームウェア、ソフトウェア、又はそれらの組み合せで具現化される。これらの実施形態は、コンピュータプログラム製品として具現化され、即ち、データ処理装置、例えば、プログラマブルプロセッサ、コンピュータ又は多数のコンピュータにより、又はその動作を制御するべく、実行するために、情報キャリア、例えば、マシン読み取り可能なストレージ装置又は伝播信号において有形に実施されるコンピュータプログラムとして具現化される。又、それらの具現化は、非一時的媒体であるコンピュータ読み取り可能な媒体又はコンピュータ読み取り可能なストレージ媒体で行われてもよい。又、種々の技術の具現化は、一時的信号又は媒体を経て行われる具現化も含み、及び／又はインターネット、或いはワイヤードネットワーク及び／又はワイヤレスネットワークのいずれかである他のネットワーク（１つ又は複数）を経てダウンロード可能なプログラム及び／又はソフトウェア具現化も含む。加えて、具現化は、マシンタイプ通信（ＭＴＣ）を経て及びモノのインターネット（ＩＯＴ）も経て行われてもよい。
【０１３６】
コンピュータプログラムは、ソースコード形態、オブジェクトコード形態又はある中間形態であり、そしてプログラムを搬送できるエンティティ又は装置であるある種のキャリア、配布媒体、又はコンピュータ読み取り可能な媒体に記憶される。そのようなキャリアは、例えば、記録媒体、コンピュータメモリ、リードオンリメモリ、光電及び／又は電気的キャリア信号、テレコミュニケーション信号、及びソフトウェア配布パッケージを含む。必要とされる処理能力に基づいて、コンピュータプログラムは、単一の電子的デジタルコンピュータで実施されてもよいし、又は多数のコンピュータ間に分散されてもよい。
【０１３７】
更に、ここに述べる種々の技術の具現化は、サイバーフィジカルシステム（ＣＰＳ）（物理的エンティティを制御する協働計算要素のシステム）を使用する。ＣＰＳは、物理的オブジェクトの異なる位置に埋設された大量の相互接続ＩＣＴ装置（センサ、アクチュエータ、プロセッサ、マイクロコントローラ、・・・）の具現化及び利用を可能にする。当該物理的システムが固有の移動性をもつような移動サイバーフィジカルシステムは、サイバーフィジカルシステムのサブカテゴリーである。移動フィジカルシステムは、例えば、人間又は動物によって搬送される移動ロボット及び電子装置を含む。スマートホンの人気上昇で、移動サイバーフィジカルシステムの分野の関心が増加した。それ故、ここに述べる技術の種々の具現化は、これら技術の１つ以上を経て行われる。
【０１３８】
上述したコンピュータプログラムのようなコンピュータプログラムは、編集型又は解釈型言語を含む任意の形態のプログラミング言語で書くことができ、そしてスタンドアローンプログラム、或いは計算環境に使用するのに適したモジュール、コンポーネント、サブルーチン、又は他のユニット又はその一部分を含む任意の形態で配備することができる。コンピュータプログラムは、あるサイトで１つのコンピュータ又は複数のコンピュータで実行されるように配備することもできるし、或いは複数のサイトにわたって分散して通信ネットワークにより相互接続することもできる。
【０１３９】
方法ステップは、入力データに対して動作を行って出力を発生することで機能を遂行するためにコンピュータプログラム又はコンピュータプログラム部分を実行する１つ以上のプログラマブルプロセッサにより遂行される。又、方法ステップは、特殊目的のロジック回路、例えば、ＦＰＧＡ（フィールドプログラマブルゲートアレイ）又はＡＳＩＣ（特定用途向け集積回路）により遂行され、そして装置は、そのように具現化される。
【０１４０】
コンピュータプログラムの実行に適したプロセッサは、例えば、汎用及び特殊目的の両マイクロプロセッサ、並びに何らかの種類のデジタルコンピュータ、チップ又はチップセットの１つ以上のプロセッサを含む。一般的に、プロセッサは、リードオンリメモリ又はランダムアクセスメモリ又はその両方からインストラクション及びデータを受信する。コンピュータの要素は、インストラクションを実行するための少なくとも１つのプロセッサ、及びインストラクション及びデータを記憶するための１つ以上のメモリを含む。一般的に、コンピュータは、データを記憶するための１つ以上の大量記憶装置、例えば、磁気、磁気・光学ディスク、又は光学ディスクを含むか、或いはそれらからデータを受け取り又はそれらにデータを転送し又はその両方であるように作動的に結合される。コンピュータプログラムインストラクション及びデータを実施するのに適した情報キャリアは、例えば、半導体メモリデバイス、例えば、ＥＰＲＯＭ、ＥＥＰＲＯＭ及びフラッシュメモリ装置；磁気ディスク、例えば、内部ハードディスク又は取り外し可能なディスク；磁気・光学ディスク；及びＣＤ−ＲＯＭ及びＤＶＤ−ＲＯＭディスクを含めて、全ての形式の不揮発性メモリを含む。プロセッサ及びメモリは、特殊目的のロジック回路により補足されてもよいし又はそれに合体されてもよい。
【０１４１】
ユーザとの相互作用を与えるため、それら実施形態は、ユーザに情報を表示するためのディスプレイ装置、例えば、陰極線管（ＣＲＴ）又は液晶ディスプレイ（ＬＣＤ）モニタを有するコンピュータ、及びユーザがコンピュータに入力を与えられるようにするユーザインターフェイス、例えば、キーボードや、マウス又はトラックボールのようなポインティング装置において具現化される。ユーザとの相互作用を与えるために他の種類の装置を使用することもでき、例えば、ユーザに与えられるフィードバックは、任意の形式の知覚フィードバック、例えば、視覚フィードバック、聴覚フィードバック又は触覚フィードバックであり、そしてユーザからの入力は、音響、スピーチ又は触覚入力を含めて、任意の形態で受け取ることができる。
【０１４２】
それら実施形態は、例えば、データサーバーのようなバックエンドコンポーネントを備えるか、例えば、アプリケーションサーバーのようなミドルウェアコンポーネントを備えるか、例えば、ユーザが具現化と相互作用できるようにするグラフィックユーザインターフェイス又はウェブブラウザを有するクライアントコンピュータのようなフロントエンドコンポーネントを備えるか、或いはそのようなバックエンド、ミドルウェア又はフロントエンドコンポーネントの組み合わせを備えたコンピューティングシステムにおいて具現化される。それらのコンポーネントは、デジタルデータ通信の任意の形式の媒体、例えば、通信ネットワークにより相互接続される。通信ネットワークは、例えば、ローカルエリアネットワーク（ＬＡＮ）、及びワイドエリアネットワーク（ＷＡＮ）、例えば、インターネットを含む。
【０１４３】
以上、実施形態の幾つかの特徴を図示して説明したが、ここで、多数の修正、置き換え、変更及び等効物が当業者に明らかであろう。それ故、種々の実施形態の真の精神に包含される全てのそのような修正及び変更は特許請求の範囲内に網羅されることを理解されたい。
【符号の説明】
【０１４４】
１３０：二重接続ワイヤレスネットワーク
１３２：ユーザ装置（ＵＥ）
１３４：マスターＢＳ（ＭｅＮＢ）
１３６：一次セル
１３８：二次ＢＳ（ＳｅＮＢ）
１４０：二次セル
１５０：コアネットワーク
２０３：スプリットベアラ
２０５：ＭＣＧベアラ
２０７：ＳＣＧベアラ
２０８：ワイヤレスネットワーク
２１０：コアネットワーク
２１２、２１４：無線リンク
８００：ネットワークノード
８０２Ａ：ＲＦトランシーバ
８０２Ｂ：ＲＦトランシーバ
８０４：プロセッサ
８０６：メモリ
８０８：コントローラ
【図１】
0006580702.tif 000002
【図２】
0006580702.tif 000003
【図３】
0006580702.tif 000004
【図４】
0006580702.tif 000005
【図５】
0006580702.tif 000006
【図６】
0006580702.tif 000007
【図７】
0006580702.tif 000008
【図８】
0006580702.tif 000009